(57)【要約】  吸収器、再生器、スクラバ、リボイラ、熱交換器またはこれらの組合せのうちの少なくとも１つから選択されるガス洗浄プロセス用プロセス容器を提供する。  プロセス容器は、セメント質材料から形成された上壁、下壁および少なくとも３つの側壁を有する。このプロセス容器はさらに、使用時に流体がプロセス容器に流入する入口ポートおよび、流体がプロセス容器から流出する出口ポートを有し、これらの入口ポートおよび出口ポートは、容器の上壁、下壁または側壁のうちの少なくとも１つに形成されている。この容器の側壁は多角形の断面を画定する。
2012508097.tif 000002
【特許請求の範囲】
【請求項１】
吸収器、再生器、スクラバ、リボイラ、熱交換器またはこれらの組合せの中から選択されるガス洗浄プロセス用のプロセス容器であって、
セメント質材料から形成された上壁、下壁および少なくとも３つの側壁と、
前記上壁、下壁または側壁のうちの少なくとも１つに形成され、使用時に、流体が前記プロセス容器に流入する入口ポートおよび、流体が前記プロセス容器から流出する出口ポートとを有し、
前記容器の前記側壁が、多角形の断面を画定するプロセス容器。
【請求項２】
前記容器の前記側壁が、長方形または正方形の断面を形成する、請求項１に記載のプロセス容器。
【請求項３】
前記プロセス容器が、垂直に延びるカラムを備える、請求項１または２に記載のプロセス容器。
【請求項４】
前記プロセス容器の前記入口ポートおよび出口ポートに接続された流体導管が、前記容器の前記上壁、下壁または側壁のうちの少なくとも１つと一体に形成されている、請求項１から３のいずれかに記載のプロセス容器。
【請求項５】
前記流体導管が、前記容器の前記上壁、下壁または側壁のそれぞれに形成された垂直方向または水平方向に中空体を備える、請求項４に記載のプロセス容器。
【請求項６】
前記プロセス容器の内部が、水分／ガス不透過性ライニングで、流体を通さないよう被覆されている、請求項１から５のいずれかに記載のプロセス容器。
【請求項７】
前記水分／ガス不透過性ライニングが、ゴム、プラスチック、ポリマー・コーティング、金属またはこれらの組合せの中から選択される、請求項６に記載のプロセス容器。
【請求項８】
プレキャスト・セメント質材料セクション、または現場打ちセメント質材料から形成される、請求項１から７のいずれかに記載のプロセス容器。
【請求項９】
前記セメント質材料が強化されている、請求項１から８のいずれかに記載のプロセス容器。
【請求項１０】
前記側壁が、前記容器内に、充填材、トレイまたは熱交換要素のうちの少なくとも１つを含む少なくとも１つのチャンバを画定する、請求項１から９のいずれかに記載のプロセス容器。
【請求項１１】
波形伝熱プレートを含む熱交換器を備える、請求項１０に記載のプロセス容器。
【請求項１２】
１０００トン／時の前記ガス処理能力を有する、請求項１から１１のいずれかに記載のプロセス容器。
【請求項１３】
少なくとも６０００トン／時の液体吸収剤処理能力を有する、請求項１から１２のいずれかに記載のプロセス容器。
【請求項１４】
少なくとも１つの吸収器と少なくとも１つの再生器とを含む少なくとも１つのモジュールを備え、
前記吸収器および前記再生器は、それぞれ、上壁、下壁および少なくとも２つの側壁を有する垂直カラム容器を備え、
前記モジュールの前記吸収器の少なくとも１つの側壁は、そのモジュールの前記再生器の少なくとも１つの側壁に接続され、または当接するガス洗浄装置。
【請求項１５】
前記モジュールの前記吸収器および前記再生器のそれぞれに接続され、または当接する前記モジュールの前記吸収器および前記再生器の前記側壁が、略平面上表面を備える、請求項１４に記載のガス洗浄装置。
【請求項１６】
それぞれの前記吸収器および前記再生器の前記側壁が、多角形の断面を画定する、請求項１４または１５のいずれかに記載のガス洗浄装置。
【請求項１７】
それぞれの前記吸収器および前記再生器の前記側壁が、長方形または正方形の断面を形成する、請求項１４から１６のいずれかに記載のガス洗浄装置。
【請求項１８】
前記吸収器および前記再生器のそれぞれが、請求項１から１３のいずれかに記載のプロセス容器を備える、請求項１４から１７のいずれかに記載のガス洗浄装置。
【請求項１９】
前記モジュールの前記吸収器および前記再生器の外壁、および／または、前記吸収器および前記再生器に接続され、または当接するそれぞれの前記側壁を貫く流体導管が配置されている、請求項１４から１８のいずれかに記載のガス洗浄装置。
【請求項２０】
各モジュールの特定の流体導管が、隣接するモジュールの関連流体導管に流体接続して、共通の流体導管を形成するように構成されている、請求項１４から１９のいずれかに記載のガス洗浄装置。
【請求項２１】
前記吸収器および前記再生器の少なくとも１つの入口または出口、好ましくは各入口および各出口が、その入口または出口を実質的に閉じるシーリング・デバイスを含む、請求項１４から２０のいずれかに記載のガス洗浄装置。
【請求項２２】
前記シーリング・デバイスが、仕切弁またはバタフライ弁のうちの少なくとも一方を備える、請求項２１に記載のガス洗浄装置。
【請求項２３】
各モジュールが、請求項１から１３のいずれかに記載のプロセス容器を含む少なくとも１つのスクラバ、リボイラまたは熱交換器をさらに含む、請求項１４から２２のいずれかに記載のガス洗浄装置。
【請求項２４】
前記吸収器が、少なくとも１つのガス・スクラバ段を含む、請求項１４から２３のいずれかに記載のガス洗浄装置。
【請求項２５】
前記再生器または前記吸収器のうちの少なくとも一方と流体連通した少なくとも１つの熱交換器をさらに備え、
前記熱交換器が、前記再生器または前記吸収器のそれぞれの基部の下に位置する、請求項１４から２４のいずれかに記載のガス洗浄装置。
【請求項２６】
前記熱交換器が向流プレート式熱交換器を備える、請求項２５に記載のガス洗浄装置。
【請求項２７】
前記熱交換器が波形伝熱プレートを含む、請求項２５または２６に記載のガス洗浄装置。
【請求項２８】
前記熱交換器への供給流体が、前記流体接続されたプロセス容器から、ポンプまたは重力によって供給される、請求項２５から２７のいずれかに記載のガス洗浄装置。
【請求項２９】
前記熱交換器が、前記流体接続されたそれぞれの前記プロセス容器よりも低い位置に位置する、請求項２５から２８のいずれかに記載のガス洗浄装置。
【請求項３０】
請求項１４から２９のいずれかに記載のガス洗浄装置を含む、燃焼後ガス流から二酸化炭素を除去するプラント。
【発明の詳細な説明】
【技術分野】
【０００１】
本発明は一般に、ガス吸収用プロセス容器および溶媒再生用プロセス容器、ならびにこれらの容器を利用するプロセス・プラントに関する。本発明は特に、発電プロセスによって生成された燃焼後ガスなどのガス混合物から二酸化炭素を除去するプロセスに適用可能であり、典型的な用途に関し、以下に開示される本発明に便利である。しかしながら、本発明はその用途だけに限定されるものではなく、本発明を、溶媒ベースの同様の吸収プロセスおよび再生プロセスに使用することができる。
【背景技術】
【０００２】
本発明の背景の以下の考察は、本発明の理解を容易にすることが意図されている。しかしながら、参照された内容が、いずれも本出願の優先日において、発表され、知られ、あるいは共通の一般知識部分であることを承認または容認するものではない。
【０００３】
ガス洗浄（ｇａｓ  ｓｃｒｕｂｂｉｎｇ）は、工業的に生成された二酸化炭素を減らす１つの方法である。最も広範に使用されているガス洗浄プロセスは、吸収剤、一般に水性アルカリ溶媒溶液を使用してガスを洗浄することを必要とする。このプロセスは、二酸化炭素を吸収剤に吸収させる吸収段と、二酸化炭素を吸収剤から脱離させる再生段との間で、吸収剤を連続的に再循環させることによる再生式プロセスである。
【０００４】
石炭火力発電所、ガス火力発電所などのバルク燃焼プロセスから生成された燃焼ガスは、放出物を処理するために、大規模なガス洗浄プラントを必要とする。この目的のために建造できる溶接された金属架構による従来のプロセス容器の全体サイズは、輸送上および構造強度上の考慮事項により制限される。この点に関して、多くの国の道路輸送規則は、輸送できる積荷のサイズ（高さおよび幅）に制限を設けている。さらに、このタイプの大部分の容器は、頭上構造物（橋梁、送電線など）の高さ制限のため、横にして輸送される。したがって、壁強度の考慮事項が、輸送できる容器のサイズを制限する。このようなプロセス容器のサイズ規制は、大規模なプロセス容器を含む大規模プラントを建設する経済的な継続性を制限する。
【０００５】
米国特許第５，２２１，３０４号は、上記のサイズ制限の問題の一部に対処するように構成された吸収剤層を含む圧力スイング吸着容器を開示している。この容器は、ガス分配ポートがその中に形成された上部および基部、ならびにガス／水分不透過性材料で被覆されたコンクリートの側壁を有するように建造される。この容器は、地下に建造され、地下に位置するように設計されている。しかし、この容器の構造および構成は、燃焼ガス洗浄用途には理想的とは言えない。
【先行技術文献】
【特許文献】
【０００６】
【特許文献１】米国特許第５，２２１，３０４号明細書
【発明の概要】
【発明が解決しようとする課題】
【０００７】
したがって、代替プロセス容器、およびこれらの容器を使用して燃焼後ガス流をガス洗浄するプロセス・プラントを提供することが望まれる。
【課題を解決するための手段】
【０００８】
本発明の第１の態様は、吸収器、再生器、スクラバ、リボイラ、熱交換器またはこれらの組合せのうちの少なくとも１つから選択されるガス洗浄プロセス用プロセス容器が提供する。このプロセス容器は、セメント質材料から形成された上壁、下壁および少なくとも３つの側壁を有する。このプロセス容器はさらに、使用時に流体がプロセス容器に流入する入口ポートおよび、流体がプロセス容器から流出する出口ポートを有する。これらの入口ポートおよび出口ポートは、容器の上壁、下壁または側壁のうちの少なくとも１つに形成されている。この容器の側壁は多角形の断面を画定する。
【０００９】
本発明の第１の態様は、コンクリートなどのセメント質材料から形成されたガス洗浄プロセス用プロセス容器を提供する。このタイプの容器をセメント質材料から建造できるため、既存のコンクリート建物の構築方法を用いてこの容器を製作できる。例えば、このタイプの容器は、プレキャスト・セメント質の部分および／またはパネル、現場打ち（ｃａｓｔ−ｉｎ−ｐｌａｃｅ）技法、あるいはコンクリート建設業界で使用されている他の建造技法を使用して建造することができる。このため、金属製のプロセス容器の建造に用いられている従来の工場ベースの金属製作技法に比べ、比較的に容易に現場で製造することができる。
【００１０】
本発明の目的上、セメント質材料は概ね、水和ケイ酸カルシウム化合物の形成に寄与するセメント特性を有する任意の材料である。セメント特性を有する適当な材料には、ポルトランド・セメント、混合気硬性セメント、フライアッシュ、破砕粒状高炉スラグ、シリカ・ヒューム、か焼粘土、メタカオリン、か焼シェール、籾殻灰、アルミノケイ酸塩材料などのジオポリマー（ｇｅｏｐｏｌｙｍｅｒ）材料、鉱物ポリマー、セラミックおよび耐火材料、ならびにコンクリート材料などがある。このセメント質材料としては、コンクリート、またはオーストラリア、メルボルンのＧｅｏｂｏｎｄ  Ｐｔｙ  Ｌｔｄ社製のＥ−Ｃｒｅｔｅ（商標）などのジオポリマーを用いることが好ましい。
【００１１】
このセメント質材料は強化されていることが好ましい。適当な強化材料には、格子、梁、骨組などの鋼構造物、炭素繊維、強化メッシュ、強化織物などがある。いくつかの形態では、このセメント質材料が、材料が互いに結合するのを助け、亀裂を防ぐ内部補強部材または強化構造物を有する。それに加えて、またはその代わりに、このセメント質材料は、その特性を強化するため、任意の数の添加剤または処理を含むこととしてもよい。例えば、セメント質材料混合物に添加剤を混合して、材料の化学抵抗性を強化することができる。
【００１２】
プロセス容器の多角形の断面は、容器に、平らな側面を与える。この平らな側面は、既存のコンクリート建物の構築方法を使用した容器の製作を容易にする。好ましい一形態によれば、容器の側壁が、長方形または正方形の断面を形成する。４つの側面を有する容器を用いることにより、さまざまな容器を含むプラント内において、それらの容器の配置および配列をフレキシブルにする。
【００１３】
本発明の第１の態様に基づくプロセス容器の側壁は一般に、容器内に少なくとも１つのチャンバを画定する。再生器、吸収器などのいくつかのプロセス容器では、このチャンバが、充填材および／またはトレイを含むこととしてもよい。充填材は固体基質とすることができ、この固体基質は、ａ）固定層または移動層としての吸収剤、あるいは、ｂ）液体吸収剤とガス流との間の接触を容易にし、従来、充填物と呼ばれている、実質的に不活性の基質のうちの一方とすることができる。熱交換器やリボイラなどの他のプロセス容器では、このチャンバが、プレートおよび／またはパイプなどの１つまたは複数の熱伝達要素を含むこととしてもよい。一実施形態では、この熱交換要素が波形板プレートである。
【００１４】
本発明の第１の態様に基づくプロセス容器は、一般に、特定のタイプの容器に用いられる典型的な配置に従って構成される。例えば、特定の熱交換ユニットであるリボイラは、水平プロセス容器として配置されることが好ましい。反対に、ガス・スクラバ、再生器および吸収器プロセス容器は、垂直に延びるカラムとして配置されることが好ましい。本発明によるこのタイプの垂直に延びるカラムは、現在高層建造物に使用されている建造技法を用いて建造することができる。例えば、カラムの外郭構造（ｓｈｅｌｌ）を、現場で垂直に打設する現場打設法を使用して、鉄筋コンクリート・ベースの垂直カラムを建造することができる。
【００１５】
入口ポート、出口ポートおよび他の接続セクションは、プロセス容器の外郭または本体部分を形成しているのと同じセメント質材料から形成され、かつ／またはこの同じセメント質材料内に形成されることが好ましい。同様に、プロセス容器の入口ポートおよび出口ポートに接続された流体導管は、容器の上壁、下壁または側壁のうちの少なくとも１つと一体に形成されることが好ましい。例えば、入口ポートおよび出口ポートに接続された空気ダクトおよび流体導管は、現場で打設することができ、あるいはプロセス容器の本体部分と一緒に建造され、または他の方法で形成された１つまたは複数のプレキャスト・セメント質材料セクションから形成することができる。これらのタイプの流体導管は、容器のそれぞれの上壁、下壁または側壁に形成された垂直方向または水平方向に中空体を備えることが好ましい。
【００１６】
本発明により形成されたプロセス容器は、通常、ライニングを必要としない。しかし、セメント質材料は、形態によっては多孔質とすることができ、および／または、容器内で使用される特定の流体および／または条件による、反応や他のプロセスにより損傷することがある。これらの用途では、プロセス容器の内部を、水分／ガス不透過性ライニングで、流体を通さないように被覆することができる。水分／ガス不透過性ライニングは、ゴム、プラスチック、ポリマー・コーティング、金属またはこれらの組合せの中から選択されることが好ましい。いくつかの形態では、このライニングが、プロセス容器に構造強度を与えるためにも使用される。
【００１７】
本発明の第１の態様に基づくプロセス容器は、任意のサイズとすることができ、最終的には、取り扱うことができるガス流量は、任意の大きさとすることができる。したがって、プロセス容器の断面積は、処理するガスの流量、液体吸収剤の流量およびチャンバ内におけるこれらの流体の所望の速度に応じて決定される。この点に関し、いくつかの実施形態では、このプロセス容器が、１００から５００ＭＷの電力を出力する石炭火力発電所の燃料ガスから二酸化炭素を洗浄除去するガス洗浄プロセスにおいて使用される。これらの実施形態では、プロセス容器が、少なくとも１０００トン／時、好適には２０００または３０００トン／時を超えるガス処理ができるサイズを有することが好ましい。同様に、プロセス容器が再生器または吸収器である場合には、プロセス容器が、少なくとも６０００トン／時、好ましくは１８０００トン／時を超える液体吸収剤を処理できることが好ましい。このような大量の流体を処理する場合には、いくつかの実施形態では、プロセス容器の幅が少なくとも１０ｍ、高さが少なくとも３０ｍになると予想される。
【００１８】
プロセス容器は、使用中に受ける圧力領域に耐えることができるように設計されることが好ましい。このプロセス容器は、圧力が約５絶対気圧、好ましくは２絶対気圧を超えない用途向けに建造されることが好ましい。より好ましくは、このプロセス容器が、大気圧付近で機能するように建造される。
【００１９】
基部は、適当なスラブ（ｓｌａｂ）、フーチング（ｆｏｏｔｉｎｇ）、ピラー（ｐｉｌｌａｒ）などの部材によって支持されることが好ましい。完成したプロセス容器の内部にアクセスすることを可能にするため、上面および側面にはマンウェイ（ｍａｎｗａｙ）を備えることとしてもよい。
【００２０】
本発明のプロセス容器は、使用サイズにより、道路輸送することができないか、または許されないそのプロセス容器を、現場で建造し、製作することが好ましい。容器は、地面よりも高い位置に置かれ、好ましくは地表または地表近くに設置され、あるいは地面よりも高い支持構造物上に載せられる。
【００２１】
本発明の第２の態様は、少なくとも１つの吸収器と、少なくとも１つの再生器とを含む少なくとも１つのモジュールを備え、吸収器および再生器がそれぞれ、上壁、下壁および少なくとも２つの側壁を有する垂直カラム容器を備え、モジュールの吸収器の少なくとも１つの側壁が、そのモジュールの吸収器の少なくとも１つの側壁に接続、または当接するガス洗浄装置を提供する。
【００２２】
このタイプのガス洗浄装置では、ガス流が、吸収器の中を通り抜け、吸収器内の吸収剤と接触し、吸収剤は、ガス流から二酸化炭素を抽出し、それにより、比較的低濃度の二酸化炭素のガス流と、二酸化炭素を吸収した吸収剤とを生成する。再生器は、吸収された二酸化炭素を吸収剤から抽出し、抽出されたガスを多く含むガス流と、ガスの濃度が低い吸収剤とを生成する。このガス洗浄装置は、ボイラまたはタービンの燃料ガスから二酸化炭素を捕捉する装置に用いることが好ましいが、他のプロセス流から炭素ガスまたは他のガスを捕捉する目的にも使用することができる。
【００２３】
このガス洗浄装置は、装置に投入されるガスの、処理の必要量に応じて、１つまたは２つ、あるいは３つ以上のモジュールを含むことができる。各モジュールは、吸収器と再生器の対を、１つまたは２つ、あるいは３つ以上含むことができる。好ましい一形態では、各モジュールが、吸収器と再生器の対を４つ含む。
【００２４】
各モジュールの吸収器および再生器は、任意の直径とすることができ、最終的には、取り扱うことができるガス流量は任意の大きさとすることができる。しかし、ガス洗浄装置が、１００から５００ＭＷの電力を出力する石炭火力発電所の燃料ガスから二酸化炭素を洗浄除去するガス洗浄プロセスにおいて使用される状況では、吸収器および再生器がそれぞれ、少なくとも１０００トン／時、好適には２０００または３０００トン／時を超えるガス中、所定の割合のガスを処理できるサイズを有することが好ましい。この割合は、ガス洗浄装置内の吸収器および再生器の数に依存する。同様に、吸収器および再生器はそれぞれ、少なくとも６０００トン／時、好ましくは１８０００トン／時を超えるガス洗浄装置内で使用される液体吸収剤中、所定の割合のガスを処理できるサイズを有することが好ましい。
【００２５】
ガス洗浄装置の各モジュールは、スペースが節約されるように配列されることが好ましい。いくつかの場合には、モジュールの吸収器および再生器のそれぞれに接続され、またはモジュールの吸収器および再生器のそれぞれと当接するそれぞれの側壁を、略平面上表面として形成することにより、省スペースとすることができる。吸収器および再生器のそれぞれの側壁が、多角形の断面、例えば長方形または正方形の断面を画定することが好ましい。吸収器および再生器がそれぞれ、本発明の第１の態様に係るプロセス容器を備えるとさらに好ましい。この構成は、モジュール内において、これらのプロセス容器を、それぞれ互いに隣接させ、より好ましくは互いに当接させて配列することを可能にする。
【００２６】
プロセス容器の入口ポート、出口ポート、入口ポートおよび出口ポートに接続された流体導管、ならびに他の接続セクションは、プロセス容器の外郭または本体部分を形成する材料と同じ材料から形成され、かつ／またはこの同じ材料内に形成されることが好ましい。流体導管は、モジュールの吸収器および再生器のそれぞれの外壁に、および／またはモジュールの吸収器および再生器のそれぞれに接続され、またはモジュールの吸収器および再生器のそれぞれと当接したそれぞれの側壁を貫いて、配置されることが好ましい。
【００２７】
各モジュールの特定の流体導管は、隣接するモジュールの関連流体導管に流体接続し、共通の流体導管を形成するように構成されることが好ましい。こうすることにより、ガス洗浄装置内において、隣接するモジュールを容易に相互に接続し、共通の入口および出口を有するより大きなユニットを形成することができる。
【００２８】
吸収器および再生器の少なくとも１つの入口または出口、好ましくは各入口および各出口は、その入口または出口を実質的に閉じるシーリング・デバイスを含むことができる。シーリング・デバイスは、仕切弁またはバタフライ弁のうちの少なくとも一方を備えることができる。このシーリング・デバイスは、例えば、石炭火力発電所からの燃焼ガス排気ロードが、ピーク電気ロード期とオフピーク期の間で変動する場合等に、起こりうる供給ガスの変動に対応するため、特定のモジュールおよび／またはプロセス容器を、ガス洗浄装置内の回路に接続し、または回路から分離することを可能にする。
【００２９】
各モジュールは他のプロセス機器を含むことができる。例えば、各モジュールはさらに、少なくとも１つのスクラバ、リボイラまたは熱交換器を含むことができる。この追加のプロセス機器は、本発明の第１の態様に係るプロセス容器を備えることが好ましい。さらに、吸収器または再生器の構成に、このような追加のプロセス機器を組み込むこともできる。例えば、吸収器は、少なくとも１つのガス・スクラバ段を含むことができる。
【００３０】
いくつかのモジュールは、さらに、再生器または吸収器のうちの少なくとも一方と流体連通した少なくとも１つの熱交換器を備えることができ、この熱交換器は、再生器または吸収器のそれぞれの基部の下に位置することができる。これにより、熱交換器は、流体接続されたそれぞれのプロセス容器よりも低い位置に位置させることができ、それにより、流体接続されたプロセス容器から熱交換器への供給流体を、ポンプまたは重力によって供給することができる。熱交換器は、プレート式熱交換器、シェル・アンド・チューブ形熱交換器など、２つの液体流を取り扱う能力を有する適当な任意のタイプの熱交換器とすることができる。熱交換器は、向流プレート式熱交換器を備えることが好ましい。熱交換器のハウジングはセメント質材料から形成されることが好ましい。この場合も、プロセス容器の入口ポート、出口ポート、入口ポートおよび出口ポートに接続された流体導管、ならびに他の接続セクションは、熱交換容器の外郭または本体部分を形成しているセメント質材料と同じセメント質材料から形成され、かつ／または、この同じセメント質材料中に形成されることが好ましい。いくつかの実施形態では、熱交換器が波形伝熱プレートを含む。この伝熱プレートは一般に金属製である。各プレートの波形は、隣接するプレートに対してある角度で配列されることが好ましい。いくつかの実施形態では、この波形を、隣接するプレートに対して６０から１５０°、より好ましくは９０°の角度で配列することができる。
【００３１】
各モジュールは、少なくとも１つのポンプまたはポンプ列を含むことができる。このポンプ列は、並列に接続された２つ以上のポンプからなる列を含むことが好ましい。各ポンプは、個別に、所望のポンプ速度とするように制御し、動作させることができる。よって、大きな流れをポンピングする必要がある場合には、全てのポンプを動作させることができる。小さな流れをポンピングすればよい場合には、ポンプの総数のうちの一部だけを動作させればよい。このポンプ列構成により、ポンプ列の全体出力をフレキシブルにする。このポンプ列構成はまた、特定の目的のために構築された大容量のポンプと比べ、大きなポンピング・パワーを提供する小さな複数のポンプの利用を可能にする。
【００３２】
第２の発明に基づくガス洗浄装置は、燃焼後ガス流を処理することが好ましい。これらのタイプのガス流は、一般には、ガス・タービン発電所、石炭火力発電所などでの燃焼プロセスから生じる低圧の排気ガス流または燃料ガス流である。好ましい一実施形態では、この燃焼後ガス流が、天然ガスと空気が熱機関に導入されるガス・タービンからの排気流である。
【００３３】
本発明の第３の態様は、本発明の第２の態様に基づくガス洗浄装置を含む、燃焼後ガス流から二酸化炭素を除去するプラントを提供する。
【００３４】
本発明のプラントは、さらに、上記の本発明のプロセスの各特徴のうちの任意の１つの特徴またはそれらの各特徴の組合せを含むことができ、それらの特徴には、吸収器および再生器の特定の運転温度範囲および運転圧力範囲、粒子を除去するサイクロン分離器、またはガス流および吸収剤がその中に供給され、それらのガス流と吸収剤が、それらの間で熱を直接に伝達することができるような態様で接触する他の並流もしくは向流気液接触器、吸収剤へ直接熱伝達する間の、含硫黄化合物および含窒素化合物を含む汚染物質のガス流からの吸収、あるいは、プロセス流間で直接にまたは間接的に熱を伝達する交換器および／またはヒートポンプを含む熱交換器網が含まれる。これらの流れはガス流および／または液体流とすることができる。
【００３５】
吸収器および再生器の特定の運転温度および運転圧力は、プロセス流間で伝達する有効熱量に大きな影響を与える。しかし、最適な運転条件は、最終的には、本発明に基づくプロセスおよびプラントが組み込まれた全体処理プラントに含まれる他の単位動作からの熱統合の考慮に依存するであろう。
【００３６】
次に、本発明の好ましい特定の実施形態を示す添付図面を参照して、本発明を説明する。
【図面の簡単な説明】
【００３７】
【図１】発電プロセスの燃焼後排気流から二酸化炭素を除去する既存のプロセスの全体流れ図である。
【図２】本発明の好ましい一実施形態に基づく吸収塔の透視図である。
【図３】本発明の好ましい一実施形態に基づく再生塔の透視図である。
【図４】スクラバ／吸収器塔の概略図である。
【図５】本発明の好ましい一実施形態に基づくスクラバ／吸収器塔の透視図である。
【図６】本発明の好ましい一実施形態に基づくモジュール式ガス洗浄ユニットの概略平面図である。
【図７】本発明の好ましい一実施形態に基づく１つのプレート式熱交換ユニットの透視図である。個々のプレートはこの図には示されていない。
【図８】図７に示したプレート式熱交換器のプレートおよびガスケットの詳細を示す透視図である。９枚のプレートしか示されていないが、実際の交換器は、数十枚、場合によっては、１００枚を超えるプレートを有する。
【発明を実施するための形態】
【００３８】
図１には、ガス・タービン、ボイラ（図示せず）などの燃焼後排気流から二酸化炭素を除去する溶媒吸収システムの全体プロセス流れ図が示されている。おおまかに言うと、図示の除去プロセスは、吸収剤（「溶媒」とも言う）、このケースでは水性アルカリ洗浄溶液を使用して、高二酸化炭素濃度の供給ガス流３を洗浄する。このプロセスは再生式プロセスであり、吸収塔Ｖ−００２で実行される、二酸化炭素を吸収剤に吸収させる吸収段と、再生塔Ｖ−００３で実行される、二酸化炭素を吸収剤から脱離させ、それにより吸収剤を再生する再生段との間で、吸収剤を連続的に再循環させる。
【００３９】
プロセス流がさまざまなユニットを経由した後、高二酸化炭素濃度の供給ガス流３が、スクラバ容器Ｖ−００１内へ供給される。スクラバ容器Ｖ−００１では、このガスが、冷却水２にさらされることにより冷却される。冷却されたガス流７は、次いで、ブロワＢ−００１を使用して吸収塔Ｖ−００２へ供給される。
【００４０】
図示の吸収塔Ｖ−００２は、トレイおよび／または充填材を含む充填カラムである。流れ８からの高ＣＯ２濃度の排気ガスは、吸収塔Ｖ−００２の底部の近くに位置する入口から吸収塔Ｖ−００２に流入し、内部充填物の間を通り抜けて上昇する。吸収塔Ｖ−００２の上部の近くに位置する入口から、低ＣＯ２濃度の吸収剤が吸収塔Ｖ−００２に入り、内部充填物の間を流れ落ちる。吸収塔Ｖ−００２の中を排気ガスが上昇すると、このガスの二酸化炭素内容物が吸収剤により次第に吸収される。その結果生じた排気ガス９は、ＣＯ２をほとんど含まず、吸収塔Ｖ−００２の上部ガス出口から、ガス出口流９を経て排出される。吸収塔Ｖ−００２の底部溶媒出口流１０には、高ＣＯ２濃度の吸収剤が生成される。
【００４１】
この高ＣＯ２濃度の吸収剤は、ポンプにより熱交換器ＨＸ−００２に通される。熱交換器ＨＸ−００２は、再生塔Ｖ−００３からの出口流１４のエネルギーを移動させて、吸収塔Ｖ−００２から流出した高ＣＯ２濃度の吸収剤が再生塔Ｖ−００３内へ供給される前に、吸収剤を予熱する。
【００４２】
吸収剤は、再生塔Ｖ−００３の上部の近くに接続された入口流１３を経て再生塔Ｖ−００３に入る。図示の再生塔Ｖ−００３は、トレイおよび／または充填材を含む充填カラムである。吸収剤は、再生塔Ｖ−００３の中を流れ落ちる。再生塔Ｖ−００３では、吸収反応を逆転させるために、リボイラＨＸ−００４内で吸収剤が加熱される。吸収剤が再生塔Ｖ−００３の中を流下するにつれ、吸収剤から徐々に二酸化炭素が脱離する。再生塔Ｖ−００３の基部から、低二酸化炭素濃度の吸収剤溶液１４の流れが放出され、吸収塔Ｖ−００２へ再循環され、そこで高ＣＯ２濃度の供給ガス８と再び接触する。
【００４３】
脱離したＣＯ２は、上部出口流１９を経て、ほぼ純粋な、ＣＯ２ガスが飽和した水として、再生塔Ｖ−００３から流出する。次いで、このＣＯ２流１９を、凝縮器ＨＸ−００３内で冷却し、還流蓄圧器Ｖ−００４に通して、凝縮した水を除去する。生成した純粋な二酸化炭素ガスは、直ちに直接使用できる状態にあり、またはさらに処理することもできる。この凝縮水流は、その一部または全体を、プロセスに戻すことができる。
【００４４】
次に図２および３を参照すると、本発明の一実施形態による吸収塔Ｖ−００２（図２）および再生塔Ｖ−００３（図３）が示されている。図１に示したプロセスにおいて、この吸収塔Ｖ−００２および再生塔Ｖ−００３を、同等のプロセス容器として使用することができる。したがって、図２および３では、プロセス容器ならびに関連入口導管および出口導管に対して、図１で使用したのと同じ参照符号が使用されている。
【００４５】
図示のプロセス容器Ｖ−００２およびＶ−００３は、高さ３０ｍ超、幅１０ｍ超の大規模再生塔Ｖ−００３および大規模吸収塔Ｖ−００２である。これらの容器は、１０００トン／時を超えるガス量を処理し、少なくとも６０００トン／時の液体吸収剤を処理することができる、１００から５００ＭＷの電力出力量を有する石炭火力発電所の燃料ガスから、二酸化炭素を洗浄除去するガス洗浄プロセスで使用されるように設計されている。例えば、洗浄される５００ＭＷ石炭火力発電所において、必要とされる燃料ガスのおおよその質量流量は、５０００トン／時程度である。しかし、溶媒（吸収剤）の流量は、プロセスで使用される特定の溶媒に依存する。
【００４６】
再生塔Ｖ−００３および吸収塔Ｖ−００２は、それぞれ、図１に示されるような溶媒吸収システムとともに使用され、側面が平らな正方形または長方形のカラムを備える。図示のカラムは、コンクリート、ジオポリマー（例えばオーストラリア、メルボルンのＧｅｏｂｏｎｄ  Ｐｔｙ  Ｌｔｄ社製のＥ−Ｃｒｅｔｅ（商標））などのセメント質材料から建造される。図示のとおり、各プロセス容器Ｖ−００３、Ｖ−００２の本体部分または外郭１１Ａ、１２Ａは、それぞれ、断面が正方形または長方形のカラムを備える。各容器Ｖ−００３、Ｖ−００２の本体部分１１Ａ、１２Ａはそれぞれ４つの平らな側面を有する。この側面が平らな正方形または長方形のカラムの構成には、容器Ｖ−００２、Ｖ−００３を、コンクリート建物業界で用いられる建造技法が役立つ。したがって、再生塔Ｖ−００３および吸収塔Ｖ−００２は、プレキャスト・パネルから製作し、または現場打設技法を使用して製作することができる。再生塔Ｖ−００３および吸収塔Ｖ−００２は、これらの技法を用いて独立式の容器として建造することができ、あるいは、同じまたは異なるタイプの隣接するカラムとの間、例えば吸収器／再生器、吸収器／吸収器、再生器／再生器間に共通の壁を有するように建造することもできる。
【００４７】
プロセス流体を移動させるため、各プロセス容器Ｖ−００２、Ｖ−００３のさまざまな側面および上部に、固定流路８、１０、１３、１４、１８および１９が組み込まれる。入口ポート８Ａ、１３Ａ、１８Ａおよび出口ポート９Ａ、１０Ａおよび１４Ａ、ならびに他の接続ポート（図示せず）は、プロセス容器Ｖ−００２、Ｖ−００３の本体部分１１Ａ、１２Ａを形成しているのと同じセメント質材料中に形成される。例えば、図３に示した再生塔Ｖ−００３では、本体部分１１Ａが、正方形または長方形の開口を本体部分１１Ａに備える溶媒入口ポート１３Ａに通じる、高ＣＯ２濃度溶媒の入口導管１３を含む。本体部分１１Ａはさらに、リーン・ソルベント（ｌｅａｎ  ｓｏｌｖｅｎｔ）出口ポート１４Ａおよび関連導管１４、ならびにガス出口１９Ａおよび関連導管１９を含む。吸収塔Ｖ−００２は、高ＣＯ２濃度溶媒の出口１０Ａおよび関連導管１０、ガス入口８Ａおよび関連導管８、リーン・ソルベント入口１８Ａおよび関連導管１８、ならびに容器Ｖ−００２の上端にベント開口９を備えるガス出口９Ａを含む。吸収塔Ｖ−００２の上部のベント開口９は、大気に向けて開口するように構成されており、ベント開口９を通して汚染物質がシステム内に入らないように設計されている。このベント開口９はしたがって、開口９を通して汚染物質がシステム内に入ることを実質的に防ぐスクリーン、シールドまたは他のタイプのカバー（図示せず）を備えることができる。
【００４８】
化学的または物理的な抵抗性を向上させるため、プロセス容器Ｖ−００２、Ｖ−００３は、ゴム、プラスチック、ポリマー・コーティングまたは金属の内部コーティングを有することができる。さらに、このセメント質構造物は、格子、梁、骨組等、炭素繊維、強化メッシュ、強化織物など、適当な強化材を含むことができる。
【００４９】
再生塔Ｖ−００３および吸収塔Ｖ−００２はそれぞれ、大気圧に近いカラム・ガス圧を有するように構成されている。当然ながら、このタイプの容器の１つの構成が取り扱う最高圧力は、コンクリートの設計圧力およびコンクリートに含まれる強化構造物の設計圧力により規制される。同様に、プロセス流体の温度限界も、構造材によって決定される。
【００５０】
再生塔Ｖ−００３および吸収塔Ｖ−００２は通常、高い位置に建造され、あるいは容器Ｖ−００２またはＶ−００３の下に掘られた空洞を有する。この空洞の中には、ポンプ（図示せず）および熱交換器（例えば図７に示す熱交換器６０）が、各プロセス容器Ｖ−００２、Ｖ−００３の基部よりも低い位置に位置する。
【００５１】
運転時、再生塔Ｖ−００３からの溶媒が、出口１４Ａから、重力によって、リーン／リッチ・クロス交換器（ｌｅａｎ／ｒｉｃｈ  ｃｒｏｓｓ−ｅｘｃｈａｎｇｅｒ）（図示せず）に流入する。同様に、吸収塔Ｖ−００２からの溶媒は、出口１０Ａから、重力によって、リーン／リッチ・クロス交換器（図示せず）に流入することができ、または直接にポンプ（図示せず）に流入することができる。
【００５２】
再生塔Ｖ−００３および吸収塔Ｖ−００２は、任意の吸収剤とともに使用されるように設計される。吸収剤は、窒素化合物、例えばアミノ酸、モノエタノールアミン（ＭＥＡ）などの様々なアミン、またはこれらの組合せを含む溶液や、炭酸カリウム、炭酸ナトリウムなどのアルカリ炭酸塩を含む溶液など、ガス流から二酸化炭素を吸収する能力のある適当な再生剤を用いることができる。この溶液は、吸収速度を向上させ、分解速度および腐食性を低下させるために使用される活性化剤または促進剤を含むことができる。
【００５３】
図４および５は、本発明の好ましい一実施形態に基づく結合スクラバ／吸収器カラムＶ−００２Ａを示す。図４は容器Ｖ−００２Ａの概略図、図５は実際の容器Ｖ−００２Ａの透視図である。図４および５に示された容器Ｖ−００２Ａの同様の部分を表すために、同じ符号が使用されている。図１に示したプロセスにおいて、このプロセス容器Ｖ−００２Ａを、容器Ｖ−００１およびＶ−００２の代わりに使用することができる。このタイプの結合スクラバ／吸収器カラムは、ＣＡＮＳＯＬＶ（登録商標）プロセスなどの溶媒系で使用されることがある。
【００５４】
図示のスクラバ／吸収器カラムＶ−００２Ａは、以下の３つのセクションを含む。
充填物の間を通り抜けて上昇するガスを、水が吹き付けて水洗する充填セクションを備える水洗セクション３２。水洗は、ワンススルー（ｏｎｃｅ−ｔｈｒｏｕｇｈ）、または再循環とすることができる。水洗セクション３２は任意であり、一般に、特定の溶媒にのみ用いられる。
吸収剤、一般に溶媒が充填物に吹き付けられ、充填物の間を通り抜けて移動し、充填物の中を上昇している高ＣＯ２濃度のガスと接触することにより、ガス中のＣＯ２成分を吸収する充填セクションを備える吸収器セクション３４。
スプレー塔または充填塔とすることができるスクラバ・セクション３６。セクション３６では、高ＣＯ２濃度の供給ガスを冷却するため、セクション内のガス流に水が吹き付けられる。
【００５５】
前述の再生塔Ｖ−００３および吸収塔Ｖ−００２と同様に、容器Ｖ−００２Ａも、図１に示したような溶媒吸収システムとともに使用され、側面が平らな正方形または長方形のカラムを備える。このカラムも、コンクリート、ジオポリマー（例えばオーストラリア、メルボルンのＧｅｏｂｏｎｄ  Ｐｔｙ  Ｌｔｄ社製のＥ−Ｃｒｅｔｅ（商標））などのセメント質材料から建造することができる。
【００５６】
プロセス容器Ｖ−００２Ａの本体部分または外郭３８は、平らな４つの側面を有し、断面が正方形または長方形のカラムを備える。プロセス流体を移動させるため、容器Ｖ−００２Ａのさまざまな側面および上部に、固定流路４０、４１、４２、４３、４５および４６が組み込まれる。流路４０、４１、４２、４３、４５および４６の入口／出口ポートは、容器Ｖ−００２Ａの本体部分３８を形成しているセメント質材料と同じセメント質材料中に形成される。上部ベント４４は、容器Ｖ−００２Ａの上端に開口を備える。
【００５７】
プロセス容器Ｖ−００２Ａもまた、化学的または物理的な抵抗性を向上させるため、ゴム、プラスチック、ポリマー・コーティングまたは金属の内部コーティングを有することができる。さらに、このセメント質構造物は、格子、梁、骨組等、炭素繊維、強化メッシュ、強化織物など、適当な強化材を含むことができる。
【００５８】
図６は、図２から５に示したプロセス容器と同様の構造を有するプロセス容器から形成することができるモジュール式ユニット５０の配列を示す。しかし、このモジュール式ユニット５０を、セメント質材料以外の材料、例えば鋼などから建造することもできる。モジュール構造は、複数のユニットの建造を単純化し、プロセス容器およびガス吸収プラント全体の総合的な建造費および製作費を引き下げることが意図されている。モジュール構造はさらに、炭素捕捉プロセスの減量運転に対応するのを容易にする。
【００５９】
図２から５に示したプロセス容器Ｖ−００２、Ｖ−００３およびＶ−００２Ａと同様に、各モジュール５０は、図１に示されるようなガス吸収プロセスとともに使用される、側面が平らな正方形または長方形のいくつかのプロセス容器５４、５６を含む。各モジュール５０は、列として配列された吸収ユニット５４と再生ユニット５６の隣接するいくつかの対５２を備える。図示のモジュール５０は、吸収ユニット５４と再生ユニット５６の４つの対５２を含む。
【００６０】
各モジュール５０の吸収ユニット５４および再生ユニット５６は、任意の直径を有することができ、最終的に取り扱うことができるガス流量を任意の大きさとすることができる。しかし、吸収ユニット５４および再生ユニット５６は、それぞれ、少なくとも１０００トン／時、好適には２０００または３０００トン／時を超えるガス中、所定の割合のガスを処理するサイズを有することが好ましい。この割合は、ガス洗浄装置内の吸収ユニット５４および再生ユニット５６の数に依存する。同様に、吸収ユニット５４および再生ユニット５６はそれぞれ、少なくとも６０００トン／時のガス洗浄装置内で使用される液体吸収剤のうち、所定の割合を処理するサイズを有することが好ましい。
【００６１】
前述の容器Ｖ−００２、Ｖ−００３およびＶ−００２Ａと同様に、モジュール５０のプロセス容器の入口ポート、出口ポート、入口ポートおよび出口ポートに接続された流体導管、ならびに他の接続セクションは、各ユニット５４、５６の外郭または本体部分を形成しているセメント質材料と同じセメント質材料から形成され、かつ／またはこの同じセメント質材料中に形成することができる。このモジュール形態では、各ユニット５４、５６の特定の流体導管が、隣接するユニット５４、５６の関連流体導管と流体接続して、共通の流体導管を形成するように構成されることが好ましい。モジュール式ユニット５０の外壁に、吸収ユニット５４に対する共通燃料ガス入口導管５８および共通ＣＯ２製品ガス出口導管５９が配置される。
【００６２】
各吸収ユニット５４および再生ユニット５６の各入口または各出口は、その入口または出口を上記共通流体導管からシールする仕切弁またはバタフライ弁を含む。これによって、起こりうる供給ガスの変動に対応するために、各吸収ユニット５４および再生ユニット５６をオンライン／オフラインにして、減量運転を提供することができる。例えば、石炭火力発電所からの燃焼ガス排気ロードは、ピーク電気ロード期とオフピーク期の間で変動する。
【００６３】
図１に示したものなどの溶媒吸収システムとして機能するために、各モジュール５０は、他のプロセス機器を含むことができる。例えば、各モジュール５０はさらに、スクラバ、リボイラ、熱交換器、ポンプなどを含むことができる。各モジュール５０は、図１に示したプロセス容器およびプロセス機器を含むことが好ましい。
【００６４】
モジュール５０内では、適当な任意の熱交換器を使用することができる。図示のモジュール５０に関しては、向流プレート式熱交換器が使用されることが好ましい。
【００６５】
モジュール５０とともに、またはモジュール５０内で使用することができる熱交換器６０の好ましい一実施形態を図７および８に示す。この熱交換器６０の構成は、熱交換器、例えばＨＸ−００１およびＨＸ−００２の両側に液体流を含む、図１に示したプロセスの熱交換器に対して使用することができる。この構成の熱交換器６０は、大気圧付近の設計圧力で機能する。この構成は、伝熱プレート６２および伝熱プレート間のシール６４に対して、シンプルなロバスト設計を用いることができる。この構成はさらに、図２から５に示されるプロセス容器では、上述の建造技法と同様の、より安価な建造技法を容易に用いることができる。
【００６６】
図示の熱交換器６０は非常に大きなプレート式熱交換器である。熱交換器６０は、ステンレス鋼、炭素鋼または他の材料から建造された一連の波形熱交換プレート６２を含む。プレート６２の波形（図７および８には示されていない）は、各プレートの底部長辺に対して４５°の角度に（斜めのパターンとして）配列されている。さらに、プレート６２の波形は、隣接するプレート６２に対して交互に９０°の向きに配列されている。このことは、波形が、隣接する各プレート６２間の間隔を維持することを保証する。図示の実施形態では、プレート６２が、波形が（底部長辺に対して）斜めに延びるように交互に配列されているが、この波形は、水平、垂直など、任意の角度で配列することができる。図８に最もよく示されているが、隣接する各プレート６２間の空間は、エラストマー・ガスケット・シール６４を使用してシールされている。これらのシール６４は、各プレート５２間に単一の流体通路空間を形成するが、若干の漏れ（したがって、少量のクロス汚染）が起こる可能性もある。プレート６２は、相互接続タイロッドまたは同様の締付け構成（図示せず）を使用して、一体に固く締め付けられる。
【００６７】
図７に示すように、プレート６２は、コンクリート、ジオポリマー（例えばオーストラリア、メルボルンのＧｅｏｂｏｎｄ  Ｐｔｙ  Ｌｔｄ社製のＥ−Ｃｒｅｔｅ（商標））などのセメント質材料から建造された容器６６中に収容される。容器６６は、使用されるプロセスの形態に応じて、モジュール５０の下、あるいは関連プロセス容器Ｖ−００２および／またはＶ−００３の下に位置することが好ましい。場合によっては、容器６６を地下に配置し、または穴（ｐｉｔ）の中に配置することができる。容器６６は、プレート６２がその中に配置されるプレート収容セクション６８を含む。プレート収容セクション６８は、プレート６２の列の形状と共形の長方形の断面を有する。他の実施形態では、伝熱プレート６２を一方の側から取り出すことを可能にするため、プレート収容セクション６８の一方または両方の側壁が、取外し可能なプレートを含む。プレート６２へのアクセスおよびプレート６２の取出しを可能にするため、プレート収容セクション６８は、取外し可能な上蓋７０を有する。いくつかの形態では、上シール（図示せず）を使用して、上蓋７０をシールすることができ、上シールは、エラストマー、ポリマー、鋼または他の材料から製作されたプレートとすることができ、その重さ、または流体（例えば水）によって、あるいは他の手段を用いて所定の位置に保持することができる。他の実施形態では、伝熱プレート６２を一方の側から取り出すことを可能にするため、プレート収容セクション６８の一方または両方の側壁が、取外し可能なプレートを含む。伝熱プレート６２は、プレート収容セクション６８の基部に形成された相補的な溝の中に着座する。流体接続されたプロセス流からの流体は、熱交換器６０の側面に形成された入口導管および出口導管７２、７３、７４、７５から流出入する。前述のプロセス容器と同様に、これらの入口導管および出口導管７２、７３、７４、７５は、コンクリート、ジオポリマー（例えばオーストラリア、メルボルンのＧｅｏｂｏｎｄ  Ｐｔｙ  Ｌｔｄ社製のＥ−Ｃｒｅｔｅ（商標））などのセメント質材料から製作され、容器６６の壁と一体に形成される。プレート６２間を流体が流れることを可能にするため、プレート間のガスケット６４は、各入口導管および出口導管７２、７３、７４、７５のところに、これらの導管から、プレート収容セクション６６内のプレート６２間の適当な空間へ通じる開口を形成する。
【００６８】
熱交換器６０は、重力流れを使用して両側に溶媒を供給するように設計されている。したがって、熱交換器６０は一般に、図１に示したＶ−００２、Ｖ−００３などのプロセス容器の下に位置する。図示の熱交換器６０は、図１に示したプロセスのクロス交換器ＨＸ−００２として使用されるように構成することができる。この用途では、吸収器Ｖ−００２と再生器Ｖ−００３の両方から溶媒が重力により流れることを可能にするため、リッチ・ソルベント（ｒｉｃｈ  ｓｏｌｖｅｎｔ）ポンプＰ−００２が、（図示のように上流側ではなく）交換器６０の下流側に位置することが好ましい。この構成では、吸収器Ｖ−００２からの高ＣＯ２濃度溶媒（冷流）が、入口７２から熱交換器６０に流入し、出口７５から流出する。再生器Ｖ−００３からの低ＣＯ２濃度溶媒（熱流）は、入口７４から熱交換器６０に流入し、出口７３から流出する。各出口７３、７５からの溶媒は、交換器６０よりも低い位置に位置する一段低い穴（図示せず）などのポンプ・ウェル（図示せず）に流入し、そこから、前に論じたポンプの列（図示せず）を使用して、吸収器Ｖ−００２または再生器Ｖ−００３へ送られる。
【００６９】
リーン・ソルベント冷却器交換器（ＨＸ−００１）に対しても、同様の熱交換器６０設計を用いることができる。この用途では、リーン・ソルベント・ポンプ（Ｐ−００３）が、図１に示したようにＨＸ−００１とＨＸ−００２の間ではなく、ＨＸ−００１の上流側に配置される。この場合には、冷却水の十分な水流のため、熱交換器６０よりも十分に高い位置にあるタンク等から冷却水を供給する必要がある。これらの熱交換器ＨＸ−００１およびＨＸ−００２がそれぞれ、図１に示したプロセスにおいてこの構成を備える場合には、再生器Ｖ−００３からの液体が、両方の交換器ＨＸ−００１およびＨＸ−００２を通過して溶媒が適切に流れるのに十分な推進力を与えるよう、それぞれの交換器ＨＸ−００１およびＨＸ−００２を配置する必要がある。
【００７０】
熱交換器６０は気密型ではなく、大気圧に近い圧力で機能するように設計されているため、この熱交換器設計６０は、図１のプロセスに示した凝縮器（ＨＸ−００３）またはリボイラ（ＨＸ−００４）には適していない。
【００７１】
図示されてはいないが、各モジュール５０は、導管に接続された少なくとも１つのポンプまたはポンプ列を含むことができる。上で論じたとおり、このポンプ列は、並列に接続された２つ以上のポンプからなる列を含むことができる。各ポンプは、必要なポンプ速度を提供するように動作するよう、個別に制御することができる。
【００７２】
本明細書に記載した発明は、具体的に説明したもの以外の変形および変更を受け入れうることを当業者は理解するであろう。本発明は、本発明の趣旨および範囲に含まれるこのような全ての変形および変更を含む。
【００７３】
本明細書の説明および特許請求の範囲の全体を通じて、用語「備える（ｃｏｍｐｒｉｓｅ）」、および「備える（ｃｏｍｐｒｉｓｉｎｇ）」、「備える（ｃｏｍｐｒｉｓｅｓ）」等のこの用語の変形が、他の付加物、構成要素、完全体またはステップを排除することは意図されていない。
【図１】
2012508097.tif 000003
【図２】
2012508097.tif 000004
【図３】
2012508097.tif 000005
【図４】
2012508097.tif 000006
【図５】
2012508097.tif 000007
【図６】
2012508097.tif 000008
【図７】
2012508097.tif 000009
【図８】
2012508097.tif 000010
【手続補正書】
【提出日】平成22年5月4日(2010.5.4)
【手続補正１】
【補正対象書類名】明細書
【補正対象項目名】全文
【補正方法】変更
【補正の内容】
【発明の詳細な説明】
【技術分野】
【０００１】
本発明は一般に、ガス吸収用プロセス容器および溶媒再生用プロセス容器、ならびにこれらの容器を利用するプロセス・プラントに関する。本発明は特に、発電プロセスによって生成された燃焼後ガスなどのガス混合物から二酸化炭素を除去するプロセスに適用可能であり、典型的な用途に関し、以下に開示される本発明に便利である。しかしながら、本発明はその用途だけに限定されるものではなく、本発明を、溶媒ベースの同様の吸収プロセスおよび再生プロセスに使用することができる。
【背景技術】
【０００２】
本発明の背景の以下の考察は、本発明の理解を容易にすることが意図されている。しかしながら、参照された内容が、いずれも本出願の優先日において、発表され、知られ、あるいは共通の一般知識部分であることを承認または容認するものではない。
【０００３】
ガス洗浄（ｇａｓ  ｓｃｒｕｂｂｉｎｇ）は、工業的に生成された二酸化炭素を減らす１つの方法である。最も広範に使用されているガス洗浄プロセスは、吸収剤、一般に水性アルカリ溶媒溶液を使用してガスを洗浄することを必要とする。このプロセスは、二酸化炭素を吸収剤に吸収させる吸収段と、二酸化炭素を吸収剤から脱離させる再生段との間で、吸収剤を連続的に再循環させることによる再生式プロセスである。
【０００４】
石炭火力発電所、ガス火力発電所などのバルク燃焼プロセスから生成された燃焼ガスは、放出物を処理するために、大規模なガス洗浄プラントを必要とする。この目的のために建造できる溶接された金属架構による従来のプロセス容器の全体サイズは、輸送上および構造強度上の考慮事項により制限される。この点に関して、多くの国の道路輸送規則は、輸送できる積荷のサイズ（高さおよび幅）に制限を設けている。さらに、このタイプの大部分の容器は、頭上構造物（橋梁、送電線など）の高さ制限のため、横にして輸送される。したがって、壁強度の考慮事項が、輸送できる容器のサイズを制限する。このようなプロセス容器のサイズ規制は、大規模なプロセス容器を含む大規模プラントを建設する経済的な継続性を制限する。
【０００５】
米国特許第５，２２１，３０４号は、上記のサイズ制限の問題の一部に対処するように構成された吸収剤層を含む圧力スイング吸着容器を開示している。この容器は、ガス分配ポートがその中に形成された上部および基部、ならびにガス／水分不透過性材料で被覆されたコンクリートの側壁を有するように建造される。この容器は、地下に建造され、地下に位置するように設計されている。しかし、この容器の構造および構成は、燃焼ガス洗浄用途には理想的とは言えない。
【先行技術文献】
【特許文献】
【０００６】
【特許文献１】米国特許第５，２２１，３０４号明細書
【発明の概要】
【発明が解決しようとする課題】
【０００７】
したがって、代替プロセス容器、およびこれらの容器を使用して燃焼後ガス流をガス洗浄するプロセス・プラントを提供することが望まれる。
【課題を解決するための手段】
【０００８】
本発明の第１の態様は、吸収器、再生器、スクラバ、リボイラ、熱交換器またはこれらの組合せのうちの少なくとも１つから選択されるガス洗浄プロセス用プロセス容器が提供する。プロセス容器は、使用のため、地面上に建造され、または構成される。
このプロセス容器は、セメント質材料から形成された上壁、下壁および少なくとも３つの側壁を有する。このプロセス容器はさらに、使用時に流体がプロセス容器に流入する入口ポートおよび、流体がプロセス容器から流出する出口ポートを有する。これらの入口ポートおよび出口ポートは、容器の上壁、下壁または側壁のうちの少なくとも１つに形成されている。この容器の側壁は多角形の断面を画定する。
【０００９】
本発明の第１の態様は、コンクリートなどのセメント質材料から形成されたガス洗浄プロセス用プロセス容器を提供する。このタイプの容器をセメント質材料から建造できるため、既存のコンクリート建物の構築方法を用いてこの容器を製作できる。例えば、このタイプの容器は、プレキャスト・セメント質の部分および／またはパネル、現場打ち（ｃａｓｔ−ｉｎ−ｐｌａｃｅ）技法、あるいはコンクリート建設業界で使用されている他の建造技法を使用して建造することができる。このため、金属製のプロセス容器の建造に用いられている従来の工場ベースの金属製作技法に比べ、比較的に容易に現場で製造することができる。
【００１０】
本発明の目的上、セメント質材料は概ね、水和ケイ酸カルシウム化合物の形成に寄与するセメント特性を有する任意の材料である。セメント特性を有する適当な材料には、ポルトランド・セメント、混合気硬性セメント、フライアッシュ、破砕粒状高炉スラグ、シリカ・ヒューム、か焼粘土、メタカオリン、か焼シェール、籾殻灰、アルミノケイ酸塩材料などのジオポリマー（ｇｅｏｐｏｌｙｍｅｒ）材料、鉱物ポリマー、セラミックおよび耐火材料、ならびにコンクリート材料などがある。このセメント質材料としては、コンクリート、またはオーストラリア、メルボルンのＧｅｏｂｏｎｄ  Ｐｔｙ  Ｌｔｄ社製のＥ−Ｃｒｅｔｅ（商標）などのジオポリマーを用いることが好ましい。
【００１１】
このセメント質材料は強化されていることが好ましい。適当な強化材料には、格子、梁、骨組などの鋼構造物、炭素繊維、強化メッシュ、強化織物などがある。いくつかの形態では、このセメント質材料が、材料が互いに結合するのを助け、亀裂を防ぐ内部補強部材または強化構造物を有する。それに加えて、またはその代わりに、このセメント質材料は、その特性を強化するため、任意の数の添加剤または処理を含むこととしてもよい。例えば、セメント質材料混合物に添加剤を混合して、材料の化学抵抗性を強化することができる。
【００１２】
プロセス容器の多角形の断面は、容器に、平らな側面を与える。この平らな側面は、既存のコンクリート建物の構築方法を使用した容器の製作を容易にする。好ましい一形態によれば、容器の側壁が、長方形または正方形の断面を形成する。４つの側面を有する容器を用いることにより、さまざまな容器を含むプラント内において、それらの容器の配置および配列をフレキシブルにする。
【００１３】
本発明の第１の態様に基づくプロセス容器の側壁は一般に、容器内に少なくとも１つのチャンバを画定する。再生器、吸収器などのいくつかのプロセス容器では、このチャンバが、充填材および／またはトレイを含むこととしてもよい。充填材は固体基質とすることができ、この固体基質は、ａ）固定層または移動層としての吸収剤、あるいは、ｂ）液体吸収剤とガス流との間の接触を容易にし、従来、充填物と呼ばれている、実質的に不活性の基質のうちの一方とすることができる。熱交換器やリボイラなどの他のプロセス容器では、このチャンバが、プレートおよび／またはパイプなどの１つまたは複数の熱伝達要素を含むこととしてもよい。一実施形態では、この熱交換要素が波形板プレートである。
【００１４】
本発明の第１の態様に基づくプロセス容器は、一般に、特定のタイプの容器に用いられる典型的な配置に従って構成される。例えば、特定の熱交換ユニットであるリボイラは、水平プロセス容器として配置されることが好ましい。反対に、ガス・スクラバ、再生器および吸収器プロセス容器は、垂直に延びるカラムとして配置されることが好ましい。本発明によるこのタイプの垂直に延びるカラムは、現在高層建造物に使用されている建造技法を用いて建造することができる。例えば、カラムの外郭構造（ｓｈｅｌｌ）を、現場で垂直に打設する現場打設法を使用して、鉄筋コンクリート・ベースの垂直カラムを建造することができる。
【００１５】
入口ポート、出口ポートおよび他の接続セクションは、プロセス容器の外郭または本体部分を形成しているのと同じセメント質材料から形成され、かつ／またはこの同じセメント質材料内に形成されることが好ましい。同様に、プロセス容器の入口ポートおよび出口ポートに接続された流体導管は、容器の上壁、下壁または側壁のうちの少なくとも１つと一体に形成されることが好ましい。例えば、入口ポートおよび出口ポートに接続された空気ダクトおよび流体導管は、現場で打設することができ、あるいはプロセス容器の本体部分と一緒に建造され、または他の方法で形成された１つまたは複数のプレキャスト・セメント質材料セクションから形成することができる。これらのタイプの流体導管は、容器のそれぞれの上壁、下壁または側壁に形成された垂直方向または水平方向に中空体を備えることが好ましい。
【００１６】
本発明により形成されたプロセス容器は、通常、ライニングを必要としない。しかし、セメント質材料は、形態によっては多孔質とすることができ、および／または、容器内で使用される特定の流体および／または条件による、反応や他のプロセスにより損傷することがある。これらの用途では、プロセス容器の内部を、水分／ガス不透過性ライニングで、流体を通さないように被覆することができる。水分／ガス不透過性ライニングは、ゴム、プラスチック、ポリマー・コーティング、金属またはこれらの組合せの中から選択されることが好ましい。いくつかの形態では、このライニングが、プロセス容器に構造強度を与えるためにも使用される。
【００１７】
本発明の第１の態様に基づくプロセス容器は、任意のサイズとすることができ、最終的には、取り扱うことができるガス流量は、任意の大きさとすることができる。したがって、プロセス容器の断面積は、処理するガスの流量、液体吸収剤の流量およびチャンバ内におけるこれらの流体の所望の速度に応じて決定される。この点に関し、いくつかの実施形態では、このプロセス容器が、１００から５００ＭＷの電力を出力する石炭火力発電所の燃料ガスから二酸化炭素を洗浄除去するガス洗浄プロセスにおいて使用される。これらの実施形態では、プロセス容器が、少なくとも１０００トン／時、好適には２０００または３０００トン／時を超えるガス処理ができるサイズを有することが好ましい。同様に、プロセス容器が再生器または吸収器である場合には、プロセス容器が、少なくとも６０００トン／時、好ましくは１８０００トン／時を超える液体吸収剤を処理できることが好ましい。このような大量の流体を処理する場合には、いくつかの実施形態では、プロセス容器の幅が少なくとも１０ｍ、高さが少なくとも３０ｍになると予想される。
【００１８】
プロセス容器は、使用中に受ける圧力領域に耐えることができるように設計されることが好ましい。このプロセス容器は、圧力が約５絶対気圧、好ましくは２絶対気圧を超えない用途向けに建造されることが好ましい。より好ましくは、このプロセス容器が、大気圧付近で機能するように建造される。
【００１９】
基部は、適当なスラブ（ｓｌａｂ）、フーチング（ｆｏｏｔｉｎｇ）、ピラー（ｐｉｌｌａｒ）などの部材によって支持されることが好ましい。完成したプロセス容器の内部にアクセスすることを可能にするため、上面および側面にはマンウェイ（ｍａｎｗａｙ）を備えることとしてもよい。
【００２０】
本発明のプロセス容器は、使用サイズにより、道路輸送することができないか、または許されないそのプロセス容器を、現場で建造し、製作することが好ましい。容器は、地面よりも高い位置に置かれることが好ましく、地表または地表近くに設置され、あるいは地面よりも高い支持構造物上に載せられることが好ましい。
【００２１】
本発明の第２の態様は、少なくとも１つの吸収器と、少なくとも１つの再生器とを含む少なくとも１つのモジュールを備え、吸収器および再生器がそれぞれ、上壁、下壁および少なくとも２つの側壁を有する垂直カラム容器を備え、モジュールの吸収器の少なくとも１つの側壁が、そのモジュールの吸収器の少なくとも１つの側壁に接続、または当接するガス洗浄装置を提供する。
【００２２】
このタイプのガス洗浄装置では、ガス流が、吸収器の中を通り抜け、吸収器内の吸収剤と接触し、吸収剤は、ガス流から二酸化炭素を抽出し、それにより、比較的低濃度の二酸化炭素のガス流と、二酸化炭素を吸収した吸収剤とを生成する。再生器は、吸収された二酸化炭素を吸収剤から抽出し、抽出されたガスを多く含むガス流と、ガスの濃度が低い吸収剤とを生成する。このガス洗浄装置は、ボイラまたはタービンの燃料ガスから二酸化炭素を捕捉する装置に用いることが好ましいが、他のプロセス流から炭素ガスまたは他のガスを捕捉する目的にも使用することができる。
【００２３】
このガス洗浄装置は、装置に投入されるガスの、処理の必要量に応じて、１つまたは２つ、あるいは３つ以上のモジュールを含むことができる。各モジュールは、吸収器と再生器の対を、１つまたは２つ、あるいは３つ以上含むことができる。好ましい一形態では、各モジュールが、吸収器と再生器の対を４つ含む。
【００２４】
各モジュールの吸収器および再生器は、任意の直径とすることができ、最終的には、取り扱うことができるガス流量は任意の大きさとすることができる。しかし、ガス洗浄装置が、１００から５００ＭＷの電力を出力する石炭火力発電所の燃料ガスから二酸化炭素を洗浄除去するガス洗浄プロセスにおいて使用される状況では、吸収器および再生器がそれぞれ、少なくとも１０００トン／時、好適には２０００または３０００トン／時を超えるガス中、所定の割合のガスを処理できるサイズを有することが好ましい。この割合は、ガス洗浄装置内の吸収器および再生器の数に依存する。同様に、吸収器および再生器はそれぞれ、少なくとも６０００トン／時、好ましくは１８０００トン／時を超えるガス洗浄装置内で使用される液体吸収剤中、所定の割合のガスを処理できるサイズを有することが好ましい。
【００２５】
ガス洗浄装置の各モジュールは、スペースが節約されるように配列されることが好ましい。いくつかの場合には、モジュールの吸収器および再生器のそれぞれに接続され、またはモジュールの吸収器および再生器のそれぞれと当接するそれぞれの側壁を、略平面上表面として形成することにより、省スペースとすることができる。吸収器および再生器のそれぞれの側壁が、多角形の断面、例えば長方形または正方形の断面を画定することが好ましい。吸収器および再生器がそれぞれ、本発明の第１の態様に係るプロセス容器を備えるとさらに好ましい。この構成は、モジュール内において、これらのプロセス容器を、それぞれ互いに隣接させ、より好ましくは互いに当接させて配列することを可能にする。
【００２６】
プロセス容器の入口ポート、出口ポート、入口ポートおよび出口ポートに接続された流体導管、ならびに他の接続セクションは、プロセス容器の外郭または本体部分を形成する材料と同じ材料から形成され、かつ／またはこの同じ材料内に形成されることが好ましい。流体導管は、モジュールの吸収器および再生器のそれぞれの外壁に、および／またはモジュールの吸収器および再生器のそれぞれに接続され、またはモジュールの吸収器および再生器のそれぞれと当接したそれぞれの側壁を貫いて、配置されることが好ましい。
【００２７】
各モジュールの特定の流体導管は、隣接するモジュールの関連流体導管に流体接続し、共通の流体導管を形成するように構成されることが好ましい。こうすることにより、ガス洗浄装置内において、隣接するモジュールを容易に相互に接続し、共通の入口および出口を有するより大きなユニットを形成することができる。
【００２８】
吸収器および再生器の少なくとも１つの入口または出口、好ましくは各入口および各出口は、その入口または出口を実質的に閉じるシーリング・デバイスを含むことができる。シーリング・デバイスは、仕切弁またはバタフライ弁のうちの少なくとも一方を備えることができる。このシーリング・デバイスは、例えば、石炭火力発電所からの燃焼ガス排気ロードが、ピーク電気ロード期とオフピーク期の間で変動する場合等に、起こりうる供給ガスの変動に対応するため、特定のモジュールおよび／またはプロセス容器を、ガス洗浄装置内の回路に接続し、または回路から分離することを可能にする。
【００２９】
各モジュールは他のプロセス機器を含むことができる。例えば、各モジュールはさらに、少なくとも１つのスクラバ、リボイラまたは熱交換器を含むことができる。この追加のプロセス機器は、本発明の第１の態様に係るプロセス容器を備えることが好ましい。さらに、吸収器または再生器の構成に、このような追加のプロセス機器を組み込むこともできる。例えば、吸収器は、少なくとも１つのガス・スクラバ段を含むことができる。
【００３０】
いくつかのモジュールは、さらに、再生器または吸収器のうちの少なくとも一方と流体連通した少なくとも１つの熱交換器を備えることができ、この熱交換器は、再生器または吸収器のそれぞれの基部の下に位置することができる。これにより、熱交換器は、流体接続されたそれぞれのプロセス容器よりも低い位置に位置させることができ、それにより、流体接続されたプロセス容器から熱交換器への供給流体を、ポンプまたは重力によって供給することができる。熱交換器は、プレート式熱交換器、シェル・アンド・チューブ形熱交換器など、２つの液体流を取り扱う能力を有する適当な任意のタイプの熱交換器とすることができる。熱交換器は、向流プレート式熱交換器を備えることが好ましい。熱交換器のハウジングはセメント質材料から形成されることが好ましい。この場合も、プロセス容器の入口ポート、出口ポート、入口ポートおよび出口ポートに接続された流体導管、ならびに他の接続セクションは、熱交換容器の外郭または本体部分を形成しているセメント質材料と同じセメント質材料から形成され、かつ／または、この同じセメント質材料中に形成されることが好ましい。いくつかの実施形態では、熱交換器が波形伝熱プレートを含む。この伝熱プレートは一般に金属製である。各プレートの波形は、隣接するプレートに対してある角度で配列されることが好ましい。いくつかの実施形態では、この波形を、隣接するプレートに対して６０から１５０°、より好ましくは９０°の角度で配列することができる。
【００３１】
各モジュールは、少なくとも１つのポンプまたはポンプ列を含むことができる。このポンプ列は、並列に接続された２つ以上のポンプからなる列を含むことが好ましい。各ポンプは、個別に、所望のポンプ速度とするように制御し、動作させることができる。よって、大きな流れをポンピングする必要がある場合には、全てのポンプを動作させることができる。小さな流れをポンピングすればよい場合には、ポンプの総数のうちの一部だけを動作させればよい。このポンプ列構成により、ポンプ列の全体出力をフレキシブルにする。このポンプ列構成はまた、特定の目的のために構築された大容量のポンプと比べ、大きなポンピング・パワーを提供する小さな複数のポンプの利用を可能にする。
【００３２】
第２の発明に基づくガス洗浄装置は、燃焼後ガス流を処理することが好ましい。これらのタイプのガス流は、一般には、ガス・タービン発電所、石炭火力発電所などでの燃焼プロセスから生じる低圧の排気ガス流または燃料ガス流である。好ましい一実施形態では、この燃焼後ガス流が、天然ガスと空気が熱機関に導入されるガス・タービンからの排気流である。
【００３３】
本発明の第３の態様は、本発明の第２の態様に基づくガス洗浄装置を含む、燃焼後ガス流から二酸化炭素を除去するプラントを提供する。
【００３４】
本発明のプラントは、さらに、上記の本発明のプロセスの各特徴のうちの任意の１つの特徴またはそれらの各特徴の組合せを含むことができ、それらの特徴には、吸収器および再生器の特定の運転温度範囲および運転圧力範囲、粒子を除去するサイクロン分離器、またはガス流および吸収剤がその中に供給され、それらのガス流と吸収剤が、それらの間で熱を直接に伝達することができるような態様で接触する他の並流もしくは向流気液接触器、吸収剤へ直接熱伝達する間の、含硫黄化合物および含窒素化合物を含む汚染物質のガス流からの吸収、あるいは、プロセス流間で直接にまたは間接的に熱を伝達する交換器および／またはヒートポンプを含む熱交換器網が含まれる。これらの流れはガス流および／または液体流とすることができる。
【００３５】
吸収器および再生器の特定の運転温度および運転圧力は、プロセス流間で伝達する有効熱量に大きな影響を与える。しかし、最適な運転条件は、最終的には、本発明に基づくプロセスおよびプラントが組み込まれた全体処理プラントに含まれる他の単位動作からの熱統合の考慮に依存するであろう。
【００３６】
次に、本発明の好ましい特定の実施形態を示す添付図面を参照して、本発明を説明する。
【図面の簡単な説明】
【００３７】
【図１】発電プロセスの燃焼後排気流から二酸化炭素を除去する既存のプロセスの全体流れ図である。
【図２】本発明の好ましい一実施形態に基づく吸収塔の透視図である。
【図３】本発明の好ましい一実施形態に基づく再生塔の透視図である。
【図４】スクラバ／吸収器塔の概略図である。
【図５】本発明の好ましい一実施形態に基づくスクラバ／吸収器塔の透視図である。
【図６】本発明の好ましい一実施形態に基づくモジュール式ガス洗浄ユニットの概略平面図である。
【図７】本発明の好ましい一実施形態に基づく１つのプレート式熱交換ユニットの透視図である。個々のプレートはこの図には示されていない。
【図８】図７に示したプレート式熱交換器のプレートおよびガスケットの詳細を示す透視図である。９枚のプレートしか示されていないが、実際の交換器は、数十枚、場合によっては、１００枚を超えるプレートを有する。
【発明を実施するための形態】
【００３８】
図１には、ガス・タービン、ボイラ（図示せず）などの燃焼後排気流から二酸化炭素を除去する溶媒吸収システムの全体プロセス流れ図が示されている。おおまかに言うと、図示の除去プロセスは、吸収剤（「溶媒」とも言う）、このケースでは水性アルカリ洗浄溶液を使用して、高二酸化炭素濃度の供給ガス流３を洗浄する。このプロセスは再生式プロセスであり、吸収塔Ｖ−００２で実行される、二酸化炭素を吸収剤に吸収させる吸収段と、再生塔Ｖ−００３で実行される、二酸化炭素を吸収剤から脱離させ、それにより吸収剤を再生する再生段との間で、吸収剤を連続的に再循環させる。
【００３９】
プロセス流がさまざまなユニットを経由した後、高二酸化炭素濃度の供給ガス流３が、スクラバ容器Ｖ−００１内へ供給される。スクラバ容器Ｖ−００１では、このガスが、冷却水２にさらされることにより冷却される。冷却されたガス流７は、次いで、ブロワＢ−００１を使用して吸収塔Ｖ−００２へ供給される。
【００４０】
図示の吸収塔Ｖ−００２は、トレイおよび／または充填材を含む充填カラムである。流れ８からの高ＣＯ２濃度の排気ガスは、吸収塔Ｖ−００２の底部の近くに位置する入口から吸収塔Ｖ−００２に流入し、内部充填物の間を通り抜けて上昇する。吸収塔Ｖ−００２の上部の近くに位置する入口から、低ＣＯ２濃度の吸収剤が吸収塔Ｖ−００２に入り、内部充填物の間を流れ落ちる。吸収塔Ｖ−００２の中を排気ガスが上昇すると、このガスの二酸化炭素内容物が吸収剤により次第に吸収される。その結果生じた排気ガス９は、ＣＯ２をほとんど含まず、吸収塔Ｖ−００２の上部ガス出口から、ガス出口流９を経て排出される。吸収塔Ｖ−００２の底部溶媒出口流１０には、高ＣＯ２濃度の吸収剤が生成される。
【００４１】
この高ＣＯ２濃度の吸収剤は、ポンプにより熱交換器ＨＸ−００２に通される。熱交換器ＨＸ−００２は、再生塔Ｖ−００３からの出口流１４のエネルギーを移動させて、吸収塔Ｖ−００２から流出した高ＣＯ２濃度の吸収剤が再生塔Ｖ−００３内へ供給される前に、吸収剤を予熱する。
【００４２】
吸収剤は、再生塔Ｖ−００３の上部の近くに接続された入口流１３を経て再生塔Ｖ−００３に入る。図示の再生塔Ｖ−００３は、トレイおよび／または充填材を含む充填カラムである。吸収剤は、再生塔Ｖ−００３の中を流れ落ちる。再生塔Ｖ−００３では、吸収反応を逆転させるために、リボイラＨＸ−００４内で吸収剤が加熱される。吸収剤が再生塔Ｖ−００３の中を流下するにつれ、吸収剤から徐々に二酸化炭素が脱離する。再生塔Ｖ−００３の基部から、低二酸化炭素濃度の吸収剤溶液１４の流れが放出され、吸収塔Ｖ−００２へ再循環され、そこで高ＣＯ２濃度の供給ガス８と再び接触する。
【００４３】
脱離したＣＯ２は、上部出口流１９を経て、ほぼ純粋な、ＣＯ２ガスが飽和した水として、再生塔Ｖ−００３から流出する。次いで、このＣＯ２流１９を、凝縮器ＨＸ−００３内で冷却し、還流蓄圧器Ｖ−００４に通して、凝縮した水を除去する。生成した純粋な二酸化炭素ガスは、直ちに直接使用できる状態にあり、またはさらに処理することもできる。この凝縮水流は、その一部または全体を、プロセスに戻すことができる。
【００４４】
次に図２および３を参照すると、本発明の一実施形態による吸収塔Ｖ−００２（図２）および再生塔Ｖ−００３（図３）が示されている。図１に示したプロセスにおいて、この吸収塔Ｖ−００２および再生塔Ｖ−００３を、同等のプロセス容器として使用することができる。したがって、図２および３では、プロセス容器ならびに関連入口導管および出口導管に対して、図１で使用したのと同じ参照符号が使用されている。
【００４５】
図示のプロセス容器Ｖ−００２およびＶ−００３は、高さ３０ｍ超、幅１０ｍ超の大規模再生塔Ｖ−００３および大規模吸収塔Ｖ−００２である。これらの容器は、１０００トン／時を超えるガス量を処理し、少なくとも６０００トン／時の液体吸収剤を処理することができる、１００から５００ＭＷの電力出力量を有する石炭火力発電所の燃料ガスから、二酸化炭素を洗浄除去するガス洗浄プロセスで使用されるように設計されている。例えば、洗浄される５００ＭＷ石炭火力発電所において、必要とされる燃料ガスのおおよその質量流量は、５０００トン／時程度である。しかし、溶媒（吸収剤）の流量は、プロセスで使用される特定の溶媒に依存する。
【００４６】
再生塔Ｖ−００３および吸収塔Ｖ−００２は、それぞれ、図１に示されるような溶媒吸収システムとともに使用され、側面が平らな正方形または長方形のカラムを備える。図示のカラムは、コンクリート、ジオポリマー（例えばオーストラリア、メルボルンのＧｅｏｂｏｎｄ  Ｐｔｙ  Ｌｔｄ社製のＥ−Ｃｒｅｔｅ（商標））などのセメント質材料から建造される。図示のとおり、各プロセス容器Ｖ−００３、Ｖ−００２の本体部分または外郭１１Ａ、１２Ａは、それぞれ、断面が正方形または長方形のカラムを備える。各容器Ｖ−００３、Ｖ−００２の本体部分１１Ａ、１２Ａはそれぞれ４つの平らな側面を有する。この側面が平らな正方形または長方形のカラムの構成には、容器Ｖ−００２、Ｖ−００３を、コンクリート建物業界で用いられる建造技法が役立つ。したがって、再生塔Ｖ−００３および吸収塔Ｖ−００２は、プレキャスト・パネルから製作し、または現場打設技法を使用して製作することができる。再生塔Ｖ−００３および吸収塔Ｖ−００２は、これらの技法を用いて独立式の容器として建造することができ、あるいは、同じまたは異なるタイプの隣接するカラムとの間、例えば吸収器／再生器、吸収器／吸収器、再生器／再生器間に共通の壁を有するように建造することもできる。
【００４７】
プロセス流体を移動させるため、各プロセス容器Ｖ−００２、Ｖ−００３のさまざまな側面および上部に、固定流路８、１０、１３、１４、１８および１９が組み込まれる。入口ポート８Ａ、１３Ａ、１８Ａおよび出口ポート９Ａ、１０Ａおよび１４Ａ、ならびに他の接続ポート（図示せず）は、プロセス容器Ｖ−００２、Ｖ−００３の本体部分１１Ａ、１２Ａを形成しているのと同じセメント質材料中に形成される。例えば、図３に示した再生塔Ｖ−００３では、本体部分１１Ａが、正方形または長方形の開口を本体部分１１Ａに備える溶媒入口ポート１３Ａに通じる、高ＣＯ２濃度溶媒の入口導管１３を含む。本体部分１１Ａはさらに、リーン・ソルベント（ｌｅａｎ  ｓｏｌｖｅｎｔ）出口ポート１４Ａおよび関連導管１４、ならびにガス出口１９Ａおよび関連導管１９を含む。吸収塔Ｖ−００２は、高ＣＯ２濃度溶媒の出口１０Ａおよび関連導管１０、ガス入口８Ａおよび関連導管８、リーン・ソルベント入口１８Ａおよび関連導管１８、ならびに容器Ｖ−００２の上端にベント開口９を備えるガス出口９Ａを含む。吸収塔Ｖ−００２の上部のベント開口９は、大気に向けて開口するように構成されており、ベント開口９を通して汚染物質がシステム内に入らないように設計されている。このベント開口９はしたがって、開口９を通して汚染物質がシステム内に入ることを実質的に防ぐスクリーン、シールドまたは他のタイプのカバー（図示せず）を備えることができる。
【００４８】
化学的または物理的な抵抗性を向上させるため、プロセス容器Ｖ−００２、Ｖ−００３は、ゴム、プラスチック、ポリマー・コーティングまたは金属の内部コーティングを有することができる。さらに、このセメント質構造物は、格子、梁、骨組等、炭素繊維、強化メッシュ、強化織物など、適当な強化材を含むことができる。
【００４９】
再生塔Ｖ−００３および吸収塔Ｖ−００２はそれぞれ、大気圧に近いカラム・ガス圧を有するように構成されている。当然ながら、このタイプの容器の１つの構成が取り扱う最高圧力は、コンクリートの設計圧力およびコンクリートに含まれる強化構造物の設計圧力により規制される。同様に、プロセス流体の温度限界も、構造材によって決定される。
【００５０】
再生塔Ｖ−００３および吸収塔Ｖ−００２は通常、高い位置に建造され、あるいは容器Ｖ−００２またはＶ−００３の下に掘られた空洞を有する。この空洞の中には、ポンプ（図示せず）および熱交換器（例えば図７に示す熱交換器６０）が、各プロセス容器Ｖ−００２、Ｖ−００３の基部よりも低い位置に位置する。
【００５１】
運転時、再生塔Ｖ−００３からの溶媒が、出口１４Ａから、重力によって、リーン／リッチ・クロス交換器（ｌｅａｎ／ｒｉｃｈ  ｃｒｏｓｓ−ｅｘｃｈａｎｇｅｒ）（図示せず）に流入する。同様に、吸収塔Ｖ−００２からの溶媒は、出口１０Ａから、重力によって、リーン／リッチ・クロス交換器（図示せず）に流入することができ、または直接にポンプ（図示せず）に流入することができる。
【００５２】
再生塔Ｖ−００３および吸収塔Ｖ−００２は、任意の吸収剤とともに使用されるように設計される。吸収剤は、窒素化合物、例えばアミノ酸、モノエタノールアミン（ＭＥＡ）などの様々なアミン、またはこれらの組合せを含む溶液や、炭酸カリウム、炭酸ナトリウムなどのアルカリ炭酸塩を含む溶液など、ガス流から二酸化炭素を吸収する能力のある適当な再生剤を用いることができる。この溶液は、吸収速度を向上させ、分解速度および腐食性を低下させるために使用される活性化剤または促進剤を含むことができる。
【００５３】
図４および５は、本発明の好ましい一実施形態に基づく結合スクラバ／吸収器カラムＶ−００２Ａを示す。図４は容器Ｖ−００２Ａの概略図、図５は実際の容器Ｖ−００２Ａの透視図である。図４および５に示された容器Ｖ−００２Ａの同様の部分を表すために、同じ符号が使用されている。図１に示したプロセスにおいて、このプロセス容器Ｖ−００２Ａを、容器Ｖ−００１およびＶ−００２の代わりに使用することができる。このタイプの結合スクラバ／吸収器カラムは、ＣＡＮＳＯＬＶ（登録商標）プロセスなどの溶媒系で使用されることがある。
【００５４】
図示のスクラバ／吸収器カラムＶ−００２Ａは、以下の３つのセクションを含む。
充填物の間を通り抜けて上昇するガスを、水が吹き付けて水洗する充填セクションを備える水洗セクション３２。水洗は、ワンススルー（ｏｎｃｅ−ｔｈｒｏｕｇｈ）、または再循環とすることができる。水洗セクション３２は任意であり、一般に、特定の溶媒にのみ用いられる。
吸収剤、一般に溶媒が充填物に吹き付けられ、充填物の間を通り抜けて移動し、充填物の中を上昇している高ＣＯ２濃度のガスと接触することにより、ガス中のＣＯ２成分を吸収する充填セクションを備える吸収器セクション３４。
スプレー塔または充填塔とすることができるスクラバ・セクション３６。セクション３６では、高ＣＯ２濃度の供給ガスを冷却するため、セクション内のガス流に水が吹き付けられる。
【００５５】
前述の再生塔Ｖ−００３および吸収塔Ｖ−００２と同様に、容器Ｖ−００２Ａも、図１に示したような溶媒吸収システムとともに使用され、側面が平らな正方形または長方形のカラムを備える。このカラムも、コンクリート、ジオポリマー（例えばオーストラリア、メルボルンのＧｅｏｂｏｎｄ  Ｐｔｙ  Ｌｔｄ社製のＥ−Ｃｒｅｔｅ（商標））などのセメント質材料から建造することができる。
【００５６】
プロセス容器Ｖ−００２Ａの本体部分または外郭３８は、平らな４つの側面を有し、断面が正方形または長方形のカラムを備える。プロセス流体を移動させるため、容器Ｖ−００２Ａのさまざまな側面および上部に、固定流路４０、４１、４２、４３、４５および４６が組み込まれる。流路４０、４１、４２、４３、４５および４６の入口／出口ポートは、容器Ｖ−００２Ａの本体部分３８を形成しているセメント質材料と同じセメント質材料中に形成される。上部ベント４４は、容器Ｖ−００２Ａの上端に開口を備える。
【００５７】
プロセス容器Ｖ−００２Ａもまた、化学的または物理的な抵抗性を向上させるため、ゴム、プラスチック、ポリマー・コーティングまたは金属の内部コーティングを有することができる。さらに、このセメント質構造物は、格子、梁、骨組等、炭素繊維、強化メッシュ、強化織物など、適当な強化材を含むことができる。
【００５８】
図６は、図２から５に示したプロセス容器と同様の構造を有するプロセス容器から形成することができるモジュール式ユニット５０の配列を示す。しかし、このモジュール式ユニット５０を、セメント質材料以外の材料、例えば鋼などから建造することもできる。モジュール構造は、複数のユニットの建造を単純化し、プロセス容器およびガス吸収プラント全体の総合的な建造費および製作費を引き下げることが意図されている。モジュール構造はさらに、炭素捕捉プロセスの減量運転に対応するのを容易にする。
【００５９】
図２から５に示したプロセス容器Ｖ−００２、Ｖ−００３およびＶ−００２Ａと同様に、各モジュール５０は、図１に示されるようなガス吸収プロセスとともに使用される、側面が平らな正方形または長方形のいくつかのプロセス容器５４、５６を含む。各モジュール５０は、列として配列された吸収ユニット５４と再生ユニット５６の隣接するいくつかの対５２を備える。図示のモジュール５０は、吸収ユニット５４と再生ユニット５６の４つの対５２を含む。
【００６０】
各モジュール５０の吸収ユニット５４および再生ユニット５６は、任意の直径を有することができ、最終的に取り扱うことができるガス流量を任意の大きさとすることができる。しかし、吸収ユニット５４および再生ユニット５６は、それぞれ、少なくとも１０００トン／時、好適には２０００または３０００トン／時を超えるガス中、所定の割合のガスを処理するサイズを有することが好ましい。この割合は、ガス洗浄装置内の吸収ユニット５４および再生ユニット５６の数に依存する。同様に、吸収ユニット５４および再生ユニット５６はそれぞれ、少なくとも６０００トン／時のガス洗浄装置内で使用される液体吸収剤のうち、所定の割合を処理するサイズを有することが好ましい。
【００６１】
前述の容器Ｖ−００２、Ｖ−００３およびＶ−００２Ａと同様に、モジュール５０のプロセス容器の入口ポート、出口ポート、入口ポートおよび出口ポートに接続された流体導管、ならびに他の接続セクションは、各ユニット５４、５６の外郭または本体部分を形成しているセメント質材料と同じセメント質材料から形成され、かつ／またはこの同じセメント質材料中に形成することができる。このモジュール形態では、各ユニット５４、５６の特定の流体導管が、隣接するユニット５４、５６の関連流体導管と流体接続して、共通の流体導管を形成するように構成されることが好ましい。モジュール式ユニット５０の外壁に、吸収ユニット５４に対する共通燃料ガス入口導管５８および共通ＣＯ２製品ガス出口導管５９が配置される。
【００６２】
各吸収ユニット５４および再生ユニット５６の各入口または各出口は、その入口または出口を上記共通流体導管からシールする仕切弁またはバタフライ弁を含む。これによって、起こりうる供給ガスの変動に対応するために、各吸収ユニット５４および再生ユニット５６をオンライン／オフラインにして、減量運転を提供することができる。例えば、石炭火力発電所からの燃焼ガス排気ロードは、ピーク電気ロード期とオフピーク期の間で変動する。
【００６３】
図１に示したものなどの溶媒吸収システムとして機能するために、各モジュール５０は、他のプロセス機器を含むことができる。例えば、各モジュール５０はさらに、スクラバ、リボイラ、熱交換器、ポンプなどを含むことができる。各モジュール５０は、図１に示したプロセス容器およびプロセス機器を含むことが好ましい。
【００６４】
モジュール５０内では、適当な任意の熱交換器を使用することができる。図示のモジュール５０に関しては、向流プレート式熱交換器が使用されることが好ましい。
【００６５】
モジュール５０とともに、またはモジュール５０内で使用することができる熱交換器６０の好ましい一実施形態を図７および８に示す。この熱交換器６０の構成は、熱交換器、例えばＨＸ−００１およびＨＸ−００２の両側に液体流を含む、図１に示したプロセスの熱交換器に対して使用することができる。この構成の熱交換器６０は、大気圧付近の設計圧力で機能する。この構成は、伝熱プレート６２および伝熱プレート間のシール６４に対して、シンプルなロバスト設計を用いることができる。この構成はさらに、図２から５に示されるプロセス容器では、上述の建造技法と同様の、より安価な建造技法を容易に用いることができる。
【００６６】
図示の熱交換器６０は非常に大きなプレート式熱交換器である。熱交換器６０は、ステンレス鋼、炭素鋼または他の材料から建造された一連の波形熱交換プレート６２を含む。プレート６２の波形（図７および８には示されていない）は、各プレートの底部長辺に対して４５°の角度に（斜めのパターンとして）配列されている。さらに、プレート６２の波形は、隣接するプレート６２に対して交互に９０°の向きに配列されている。このことは、波形が、隣接する各プレート６２間の間隔を維持することを保証する。図示の実施形態では、プレート６２が、波形が（底部長辺に対して）斜めに延びるように交互に配列されているが、この波形は、水平、垂直など、任意の角度で配列することができる。図８に最もよく示されているが、隣接する各プレート６２間の空間は、エラストマー・ガスケット・シール６４を使用してシールされている。これらのシール６４は、各プレート５２間に単一の流体通路空間を形成するが、若干の漏れ（したがって、少量のクロス汚染）が起こる可能性もある。プレート６２は、相互接続タイロッドまたは同様の締付け構成（図示せず）を使用して、一体に固く締め付けられる。
【００６７】
図７に示すように、プレート６２は、コンクリート、ジオポリマー（例えばオーストラリア、メルボルンのＧｅｏｂｏｎｄ  Ｐｔｙ  Ｌｔｄ社製のＥ−Ｃｒｅｔｅ（商標））などのセメント質材料から建造された容器６６中に収容される。容器６６は、使用されるプロセスの形態に応じて、モジュール５０の下、あるいは関連プロセス容器Ｖ−００２および／またはＶ−００３の下に位置することが好ましい。場合によっては、容器６６を地下に配置し、または穴（ｐｉｔ）の中に配置することができる。容器６６は、プレート６２がその中に配置されるプレート収容セクション６８を含む。プレート収容セクション６８は、プレート６２の列の形状と共形の長方形の断面を有する。他の実施形態では、伝熱プレート６２を一方の側から取り出すことを可能にするため、プレート収容セクション６８の一方または両方の側壁が、取外し可能なプレートを含む。プレート６２へのアクセスおよびプレート６２の取出しを可能にするため、プレート収容セクション６８は、取外し可能な上蓋７０を有する。いくつかの形態では、上シール（図示せず）を使用して、上蓋７０をシールすることができ、上シールは、エラストマー、ポリマー、鋼または他の材料から製作されたプレートとすることができ、その重さ、または流体（例えば水）によって、あるいは他の手段を用いて所定の位置に保持することができる。他の実施形態では、伝熱プレート６２を一方の側から取り出すことを可能にするため、プレート収容セクション６８の一方または両方の側壁が、取外し可能なプレートを含む。伝熱プレート６２は、プレート収容セクション６８の基部に形成された相補的な溝の中に着座する。流体接続されたプロセス流からの流体は、熱交換器６０の側面に形成された入口導管および出口導管７２、７３、７４、７５から流出入する。前述のプロセス容器と同様に、これらの入口導管および出口導管７２、７３、７４、７５は、コンクリート、ジオポリマー（例えばオーストラリア、メルボルンのＧｅｏｂｏｎｄ  Ｐｔｙ  Ｌｔｄ社製のＥ−Ｃｒｅｔｅ（商標））などのセメント質材料から製作され、容器６６の壁と一体に形成される。プレート６２間を流体が流れることを可能にするため、プレート間のガスケット６４は、各入口導管および出口導管７２、７３、７４、７５のところに、これらの導管から、プレート収容セクション６６内のプレート６２間の適当な空間へ通じる開口を形成する。
【００６８】
熱交換器６０は、重力流れを使用して両側に溶媒を供給するように設計されている。したがって、熱交換器６０は一般に、図１に示したＶ−００２、Ｖ−００３などのプロセス容器の下に位置する。図示の熱交換器６０は、図１に示したプロセスのクロス交換器ＨＸ−００２として使用されるように構成することができる。この用途では、吸収器Ｖ−００２と再生器Ｖ−００３の両方から溶媒が重力により流れることを可能にするため、リッチ・ソルベント（ｒｉｃｈ  ｓｏｌｖｅｎｔ）ポンプＰ−００２が、（図示のように上流側ではなく）交換器６０の下流側に位置することが好ましい。この構成では、吸収器Ｖ−００２からの高ＣＯ２濃度溶媒（冷流）が、入口７２から熱交換器６０に流入し、出口７５から流出する。再生器Ｖ−００３からの低ＣＯ２濃度溶媒（熱流）は、入口７４から熱交換器６０に流入し、出口７３から流出する。各出口７３、７５からの溶媒は、交換器６０よりも低い位置に位置する一段低い穴（図示せず）などのポンプ・ウェル（図示せず）に流入し、そこから、前に論じたポンプの列（図示せず）を使用して、吸収器Ｖ−００２または再生器Ｖ−００３へ送られる。
【００６９】
リーン・ソルベント冷却器交換器（ＨＸ−００１）に対しても、同様の熱交換器６０設計を用いることができる。この用途では、リーン・ソルベント・ポンプ（Ｐ−００３）が、図１に示したようにＨＸ−００１とＨＸ−００２の間ではなく、ＨＸ−００１の上流側に配置される。この場合には、冷却水の十分な水流のため、熱交換器６０よりも十分に高い位置にあるタンク等から冷却水を供給する必要がある。これらの熱交換器ＨＸ−００１およびＨＸ−００２がそれぞれ、図１に示したプロセスにおいてこの構成を備える場合には、再生器Ｖ−００３からの液体が、両方の交換器ＨＸ−００１およびＨＸ−００２を通過して溶媒が適切に流れるのに十分な推進力を与えるよう、それぞれの交換器ＨＸ−００１およびＨＸ−００２を配置する必要がある。
【００７０】
熱交換器６０は気密型ではなく、大気圧に近い圧力で機能するように設計されているため、この熱交換器設計６０は、図１のプロセスに示した凝縮器（ＨＸ−００３）またはリボイラ（ＨＸ−００４）には適していない。
【００７１】
図示されてはいないが、各モジュール５０は、導管に接続された少なくとも１つのポンプまたはポンプ列を含むことができる。上で論じたとおり、このポンプ列は、並列に接続された２つ以上のポンプからなる列を含むことができる。各ポンプは、必要なポンプ速度を提供するように動作するよう、個別に制御することができる。
【００７２】
本明細書に記載した発明は、具体的に説明したもの以外の変形および変更を受け入れうることを当業者は理解するであろう。本発明は、本発明の趣旨および範囲に含まれるこのような全ての変形および変更を含む。
【００７３】
本明細書の説明および特許請求の範囲の全体を通じて、用語「備える（ｃｏｍｐｒｉｓｅ）」、および「備える（ｃｏｍｐｒｉｓｉｎｇ）」、「備える（ｃｏｍｐｒｉｓｅｓ）」等のこの用語の変形が、他の付加物、構成要素、完全体またはステップを排除することは意図されていない。
【手続補正２】
【補正対象書類名】特許請求の範囲
【補正対象項目名】全文
【補正方法】変更
【補正の内容】
【特許請求の範囲】
【請求項１】
吸収器、再生器、スクラバ、リボイラ、熱交換器またはこれらの組合せの中から選択され、使用のため、地面上に建造され、または構成されるガス洗浄プロセス用のプロセス容器であって、
セメント質材料から形成された上壁、下壁および少なくとも３つの側壁と、
前記上壁、下壁または側壁のうちの少なくとも１つに形成され、使用時に、流体が前記プロセス容器に流入する入口ポートおよび、流体が前記プロセス容器から流出する出口ポートとを有し、
前記容器の前記側壁が、多角形の断面を画定するプロセス容器。
【請求項２】
前記容器の前記側壁が、長方形または正方形の断面を形成する、請求項１に記載のプロセス容器。
【請求項３】
前記プロセス容器が、垂直に延びるカラムを備える、請求項１または２に記載のプロセス容器。
【請求項４】
前記プロセス容器の前記入口ポートおよび出口ポートに接続された流体導管が、前記容器の前記上壁、下壁または側壁のうちの少なくとも１つと一体に形成されている、請求項１から３のいずれかに記載のプロセス容器。
【請求項５】
前記流体導管が、前記容器の前記上壁、下壁または側壁のそれぞれに形成された垂直方向または水平方向に中空体を備える、請求項４に記載のプロセス容器。
【請求項６】
前記プロセス容器の内部が、水分／ガス不透過性ライニングで、流体を通さないよう被覆されている、請求項１から５のいずれかに記載のプロセス容器。
【請求項７】
前記水分／ガス不透過性ライニングが、ゴム、プラスチック、ポリマー・コーティング、金属またはこれらの組合せの中から選択される、請求項６に記載のプロセス容器。
【請求項８】
プレキャスト・セメント質材料セクション、または現場打ちセメント質材料から形成される、請求項１から７のいずれかに記載のプロセス容器。
【請求項９】
前記セメント質材料が強化されている、請求項１から８のいずれかに記載のプロセス容器。
【請求項１０】
前記側壁が、前記容器内に、充填材、トレイまたは熱交換要素のうちの少なくとも１つを含む少なくとも１つのチャンバを画定する、請求項１から９のいずれかに記載のプロセス容器。
【請求項１１】
波形伝熱プレートを含む熱交換器を備える、請求項１０に記載のプロセス容器。
【請求項１２】
１０００トン／時の前記ガス処理能力を有する、請求項１から１１のいずれかに記載のプロセス容器。
【請求項１３】
少なくとも６０００トン／時の液体吸収剤処理能力を有する、請求項１から１２のいずれかに記載のプロセス容器。
【請求項１４】
少なくとも１つの吸収器と少なくとも１つの再生器とを含む少なくとも１つのモジュールを備え、
前記吸収器および前記再生器は、それぞれ、上壁、下壁および少なくとも２つの側壁を有する垂直カラム容器を備え、
前記モジュールの前記吸収器の少なくとも１つの側壁は、そのモジュールの前記再生器の少なくとも１つの側壁に接続され、または当接するガス洗浄装置。
【請求項１５】
前記モジュールの前記吸収器および前記再生器のそれぞれに接続され、または当接する前記モジュールの前記吸収器および前記再生器の前記側壁が、略平面上表面を備える、請求項１４に記載のガス洗浄装置。
【請求項１６】
それぞれの前記吸収器および前記再生器の前記側壁が、多角形の断面を画定する、請求項１４または１５のいずれかに記載のガス洗浄装置。
【請求項１７】
それぞれの前記吸収器および前記再生器の前記側壁が、長方形または正方形の断面を形成する、請求項１４から１６のいずれかに記載のガス洗浄装置。
【請求項１８】
前記吸収器および前記再生器のそれぞれが、請求項１から１３のいずれかに記載のプロセス容器を備える、請求項１４から１７のいずれかに記載のガス洗浄装置。
【請求項１９】
前記モジュールの前記吸収器および前記再生器の外壁に配置され、および／または、前記吸収器および前記再生器に接続され、または当接するそれぞれの前記側壁を貫く流体導管が配置されている、請求項１４から１８のいずれかに記載のガス洗浄装置。
【請求項２０】
各モジュールの特定の流体導管が、隣接するモジュールの関連流体導管に流体接続して、共通の流体導管を形成するように構成されている、請求項１４から１９のいずれかに記載のガス洗浄装置。
【請求項２１】
前記吸収器および前記再生器の少なくとも１つの入口または出口、好ましくは各入口および出口が、その入口または出口を実質的に閉じるシーリング・デバイスを含む、請求項１４から２０のいずれかに記載のガス洗浄装置。
【請求項２２】
前記シーリング・デバイスが、仕切弁またはバタフライ弁のうちの少なくとも一方を備える、請求項２１に記載のガス洗浄装置。
【請求項２３】
各モジュールが、請求項１から１３のいずれかに記載のプロセス容器を含む少なくとも１つのスクラバ、リボイラまたは熱交換器をさらに含む、請求項１４から２２のいずれかに記載のガス洗浄装置。
【請求項２４】
前記吸収器が、少なくとも１つのガス・スクラバ段を含む、請求項１４から２３のいずれかに記載のガス洗浄装置。
【請求項２５】
前記再生器または前記吸収器のうちの少なくとも一方と流体連通した少なくとも１つの熱交換器をさらに備え、
前記熱交換器が、前記再生器または前記吸収器のそれぞれの基部の下に位置する、請求項１４から２４のいずれかに記載のガス洗浄装置。
【請求項２６】
前記熱交換器が向流プレート式熱交換器を備える、請求項２５に記載のガス洗浄装置。
【請求項２７】
前記熱交換器が波形伝熱プレートを含む、請求項２５または２６に記載のガス洗浄装置。
【請求項２８】
前記熱交換器への供給流体が、前記流体接続されたプロセス容器から、ポンプまたは重力によって供給される、請求項２５から２７のいずれかに記載のガス洗浄装置。
【請求項２９】
前記熱交換器が、前記流体接続されたそれぞれの前記プロセス容器よりも低い位置に位置する、請求項２５から２８のいずれかに記載のガス洗浄装置。
【請求項３０】
請求項１４から２９のいずれかに記載のガス洗浄装置を含む、燃焼後ガス流から二酸化炭素を除去するプラント。
【手続補正書】
【提出日】平成23年7月11日(2011.7.11)
【手続補正１】
【補正対象書類名】明細書
【補正対象項目名】全文
【補正方法】変更
【補正の内容】
【発明の詳細な説明】
【技術分野】
【０００１】
本発明は一般に、ガス吸収用プロセス容器および溶媒再生用プロセス容器、ならびにこれらの容器を利用するプロセス・プラントに関する。本発明は特に、発電プロセスによって生成された燃焼後ガスなどのガス混合物から二酸化炭素を除去するプロセスに適用可能であり、典型的な用途に関し、以下に開示される本発明に便利である。しかしながら、本発明はその用途だけに限定されるものではなく、本発明を、溶媒ベースの同様の吸収プロセスおよび再生プロセスに使用することができる。
【背景技術】
【０００２】
本発明の背景の以下の考察は、本発明の理解を容易にすることが意図されている。しかしながら、参照された内容が、いずれも本出願の優先日において、発表され、知られ、あるいは共通の一般知識部分であることを承認または容認するものではない。
【０００３】
ガス洗浄（ｇａｓ  ｓｃｒｕｂｂｉｎｇ）は、工業的に生成された二酸化炭素を減らす１つの方法である。最も広範に使用されているガス洗浄プロセスは、吸収剤、一般に水性アルカリ溶媒溶液を使用してガスを洗浄することを必要とする。このプロセスは、二酸化炭素を吸収剤に吸収させる吸収段と、二酸化炭素を吸収剤から脱離させる再生段との間で、吸収剤を連続的に再循環させることによる再生式プロセスである。
【０００４】
石炭火力発電所、ガス火力発電所などのバルク燃焼プロセスから生成された燃焼ガスは、放出物を処理するために、大規模なガス洗浄プラントを必要とする。この目的のために建造できる溶接された金属架構による従来のプロセス容器の全体サイズは、輸送上および構造強度上の考慮事項により制限される。この点に関して、多くの国の道路輸送規則は、輸送できる積荷のサイズ（高さおよび幅）に制限を設けている。さらに、このタイプの大部分の容器は、頭上構造物（橋梁、送電線など）の高さ制限のため、横にして輸送される。したがって、壁強度の考慮事項が、輸送できる容器のサイズを制限する。このようなプロセス容器のサイズ規制は、大規模なプロセス容器を含む大規模プラントを建設する経済的な継続性を制限する。
【０００５】
米国特許第５，２２１，３０４号は、上記のサイズ制限の問題の一部に対処するように構成された吸収剤層を含む圧力スイング吸着容器を開示している。この容器は、ガス分配ポートがその中に形成された上部および基部、ならびにガス／水分不透過性材料で被覆されたコンクリートの側壁を有するように建造される。この容器は、地下に建造され、地下に位置するように設計されている。しかし、この容器の構造および構成は、燃焼ガス洗浄用途には理想的とは言えない。
【先行技術文献】
【特許文献】
【０００６】
【特許文献１】米国特許第５，２２１，３０４号明細書
【発明の概要】
【発明が解決しようとする課題】
【０００７】
したがって、代替プロセス容器、およびこれらの容器を使用して燃焼後ガス流をガス洗浄するプロセス・プラントを提供することが望まれる。
【課題を解決するための手段】
【０００８】
本発明は、少なくとも２つのモジュールを有し、各前記モジュールは、ガス洗浄プロセスのための少なくとも一つのプロセス容器を有し、各前記プロセス容器は、吸収器、再生器、スクラバ、リボイラ、熱交換器またはこれらの組合せの中から選択され、各前記プロセス容器は、セメント質材料から形成された上壁、下壁および少なくとも３つの側壁と、前記上壁、下壁または側壁のうちの少なくとも１つに形成され、使用時に、流体が前記プロセス容器に流入する入口ポートおよび、流体が前記プロセス容器から流出する出口ポートとを有し、各前記プロセス容器の前記側壁が、多角形の断面を画定し、第１のモジュールにおける第１のプロセス容器の少なくとも一つの前記側壁は、第２のモジュールにおける第２のプロセス容器の少なくとも１つの側壁に接続され、または当接するガス洗浄装置を提供する。
【０００９】
本発明は、コンクリートなどのセメント質材料から形成されたガス洗浄プロセス用の様々なプロセス容器や、容器を含むモジュールを有するガス洗浄装置を提供する。このタイプの容器をセメント質材料から建造できるため、既存のコンクリート建物の構築方法を用いてこの容器を製作できる。例えば、このタイプの容器は、プレキャスト・セメント質の部分および／またはパネル、現場打ち（ｃａｓｔ−ｉｎ−ｐｌａｃｅ）技法、あるいはコンクリート建設業界で使用されている他の建造技法を使用して建造することができる。このため、金属製のプロセス容器の建造に用いられている従来の工場ベースの金属製作技法に比べ、比較的に容易に現場で製造することができる。
【００１０】
本発明の目的上、セメント質材料は概ね、水和ケイ酸カルシウム化合物の形成に寄与するセメント特性を有する任意の材料である。セメント特性を有する適当な材料には、ポルトランド・セメント、混合気硬性セメント、フライアッシュ、破砕粒状高炉スラグ、シリカ・ヒューム、か焼粘土、メタカオリン、か焼シェール、籾殻灰、アルミノケイ酸塩材料などのジオポリマー（ｇｅｏｐｏｌｙｍｅｒ）材料、鉱物ポリマー、セラミックおよび耐火材料、ならびにコンクリート材料などがある。このセメント質材料としては、コンクリート、またはオーストラリア、メルボルンのＧｅｏｂｏｎｄ  Ｐｔｙ  Ｌｔｄ社製のＥ−Ｃｒｅｔｅ（商標）などのジオポリマーを用いることが好ましい。
【００１１】
このセメント質材料は強化されていることが好ましい。適当な強化材料には、格子、梁、骨組などの鋼構造物、炭素繊維、強化メッシュ、強化織物などがある。いくつかの形態では、このセメント質材料が、材料が互いに結合するのを助け、亀裂を防ぐ内部補強部材または強化構造物を有する。それに加えて、またはその代わりに、このセメント質材料は、その特性を強化するため、任意の数の添加剤または処理を含むこととしてもよい。例えば、セメント質材料混合物に添加剤を混合して、材料の化学抵抗性を強化することができる。
【００１２】
プロセス容器の多角形の断面は、容器に、平らな側面を与える。この平らな側面は、既存のコンクリート建物の構築方法を使用した容器の製作を容易にする。好ましい一形態によれば、容器の側壁が、長方形または正方形の断面を形成する。４つの側面を有する容器を用いることにより、さまざまな容器を含むプラント内において、それらの容器の配置および配列をフレキシブルにする。
【００１３】
プロセス容器の側壁は一般に、容器内に少なくとも１つのチャンバを画定する。再生器、吸収器などのいくつかのプロセス容器では、このチャンバが、充填材および／またはトレイを含むこととしてもよい。充填材は固体基質とすることができ、この固体基質は、ａ）固定層または移動層としての吸収剤、あるいは、ｂ）液体吸収剤とガス流との間の接触を容易にし、従来、充填物と呼ばれている、実質的に不活性の基質のうちの一方とすることができる。熱交換器やリボイラなどの他のプロセス容器では、このチャンバが、プレートおよび／またはパイプなどの１つまたは複数の熱伝達要素を含むこととしてもよい。一実施形態では、この熱交換要素が波形板プレートである。
【００１４】
プロセス容器は、一般に、特定のタイプの容器に用いられる典型的な配置に従って構成される。例えば、特定の熱交換ユニットであるリボイラは、水平プロセス容器として配置されることが好ましい。反対に、ガス・スクラバ、再生器および吸収器プロセス容器は、垂直に延びるカラムとして配置されることが好ましい。本発明によるこのタイプの垂直に延びるカラムは、現在高層建造物に使用されている建造技法を用いて建造することができる。例えば、カラムの外郭構造（ｓｈｅｌｌ）を、現場で垂直に打設する現場打設法を使用して、鉄筋コンクリート・ベースの垂直カラムを建造することができる。
【００１５】
入口ポート、出口ポートおよび他の接続セクションは、プロセス容器の外郭または本体部分を形成しているのと同じセメント質材料から形成され、かつ／またはこの同じセメント質材料内に形成されることが好ましい。同様に、プロセス容器の入口ポートおよび出口ポートに接続された流体導管は、容器の上壁、下壁または側壁のうちの少なくとも１つと一体に形成されることが好ましい。例えば、入口ポートおよび出口ポートに接続された空気ダクトおよび流体導管は、現場で打設することができ、あるいはプロセス容器の本体部分と一緒に建造され、または他の方法で形成された１つまたは複数のプレキャスト・セメント質材料セクションから形成することができる。これらのタイプの流体導管は、容器のそれぞれの上壁、下壁または側壁に形成された垂直方向または水平方向に中空体を備えることが好ましい。
【００１６】
本発明のガス洗浄装置のプロセス容器は、通常、ライニングを必要としない。しかし、セメント質材料は、形態によっては多孔質とすることができ、および／または、容器内で使用される特定の流体および／または条件による、反応や他のプロセスにより損傷することがある。これらの用途では、プロセス容器の内部を、水分／ガス不透過性ライニングで、流体を通さないように被覆することができる。水分／ガス不透過性ライニングは、ゴム、プラスチック、ポリマー・コーティング、金属またはこれらの組合せの中から選択されることが好ましい。いくつかの形態では、このライニングが、プロセス容器に構造強度を与えるためにも使用される。
【００１７】
本発明のガス洗浄装置のモジュール内のプロセス容器は、任意のサイズとすることができ、最終的には、取り扱うことができるガス流量は、任意の大きさとすることができる。したがって、プロセス容器の断面積は、処理するガスの流量、液体吸収剤の流量およびチャンバ内におけるこれらの流体の所望の速度に応じて決定される。この点に関し、いくつかの実施形態では、このプロセス容器が、１００から５００ＭＷの電力を出力する石炭火力発電所の燃料ガスから二酸化炭素を洗浄除去するガス洗浄プロセスにおいて使用される。これらの実施形態では、プロセス容器が、少なくとも１０００トン／時、好適には２０００または３０００トン／時を超えるガス処理ができるサイズを有することが好ましい。同様に、プロセス容器が再生器または吸収器である場合には、プロセス容器が、少なくとも６０００トン／時、好ましくは１８０００トン／時を超える液体吸収剤を処理できることが好ましい。このような大量の流体を処理する場合には、いくつかの実施形態では、プロセス容器の幅が少なくとも１０ｍ、高さが少なくとも３０ｍになると予想される。
【００１８】
これらのプロセス容器は、使用中に受ける圧力領域に耐えることができるように設計されることが好ましい。本発明のガス洗浄装置のこれらのプロセス容器は、圧力が約５絶対気圧、好ましくは２絶対気圧を超えない用途向けに建造されることが好ましい。より好ましくは、このプロセス容器が、大気圧付近で機能するように建造される。
【００１９】
基部は、適当なスラブ（ｓｌａｂ）、フーチング（ｆｏｏｔｉｎｇ）、ピラー（ｐｉｌｌａｒ）などの部材によって支持されることが好ましい。完成したプロセス容器の内部にアクセスすることを可能にするため、上面および側面にはマンウェイ（ｍａｎｗａｙ）を備えることとしてもよい。
【００２０】
プロセス容器は、使用サイズにより、道路輸送することができないか、または許されないそのプロセス容器を、現場で建造し、製作することが好ましい。容器は、地面よりも高い位置に置かれることが好ましく、地表または地表近くに設置され、あるいは地面よりも高い支持構造物上に載せられることが好ましい。
【００２１】
本発明のガス洗浄装置は、装置に投入されるガスの処理の必要量に応じて、１つまたは２つ、あるいは３つ以上のモジュールを含むことができる。各モジュールは、吸収器、再生器、スクラバ、リボイラ、熱交換器、またはこれらの組み合わせを、１つまたは２つ、あるいは３つ以上含むことができる。いくつかの実施形態では、各モジュールが、少なくとも１つの吸収器と、少なくとも１つの再生器を含む。
【００２２】
このタイプのガス洗浄装置では、ガス流が、吸収器の中を通り抜け、吸収器内の吸収剤と接触し、吸収剤は、ガス流から二酸化炭素を抽出し、それにより、比較的低濃度の二酸化炭素のガス流と、二酸化炭素を吸収した吸収剤とを生成する。再生器は、吸収された二酸化炭素を吸収剤から抽出し、抽出されたガスを多く含むガス流と、ガスの濃度が低い吸収剤とを生成する。このガス洗浄装置は、ボイラまたはタービンの燃料ガスから二酸化炭素を捕捉する装置に用いることが好ましいが、他のプロセス流から炭素ガスまたは他のガスを捕捉する目的にも使用することができる。
【００２３】
各モジュールのプロセス容器は、任意の直径とすることができ、最終的には、取り扱うことができるガス流量は任意の大きさとすることができる。しかし、ガス洗浄装置が、１００から５００ＭＷの電力を出力する石炭火力発電所の燃料ガスから二酸化炭素を洗浄除去するガス洗浄プロセスにおいて使用される状況では、プロセス容器がそれぞれ、少なくとも１０００トン／時、好適には２０００または３０００トン／時を超えるガス中、所定の割合のガスを処理できるサイズを有することが好ましい。この割合は、ガス洗浄装置内のプロセス容器の数に依存する。同様に、各プロセス容器はそれぞれ、少なくとも６０００トン／時、好ましくは１８０００トン／時を超えるガス洗浄装置内で使用される液体吸収剤中、所定の割合のガスを処理できるサイズを有することが好ましい。
【００２４】
ガス洗浄装置の各モジュールは、スペースが節約されるように配列されることが好ましい。いくつかの場合には、モジュールのプロセス容器のそれぞれに接続され、またはモジュールの各プロセス容器のそれぞれと当接するそれぞれの側壁を、略平面上表面として形成することにより、省スペースとすることができる。吸収器および再生器のそれぞれの側壁が、多角形の断面、例えば長方形または正方形の断面を画定することが好ましい。この構成は、モジュール内において、これらのプロセス容器を、それぞれ互いに隣接させ、より好ましくは互いに当接させて配列することを可能にする。
【００２５】
プロセス容器の入口ポート、出口ポート、入口ポートおよび出口ポートに接続された流体導管、ならびに他の接続セクションは、プロセス容器の外郭または本体部分を形成する材料と同じ材料から形成され、かつ／またはこの同じ材料内に形成されることが好ましい。流体導管は、モジュールの吸収器および再生器のそれぞれの外壁に、および／またはモジュールの吸収器および再生器のそれぞれに接続され、またはモジュールのプロセス容器のそれぞれと当接したそれぞれの側壁を貫いて、配置されることが好ましい。
【００２６】
各モジュールの特定の流体導管は、隣接するモジュールの関連流体導管に流体接続し、共通の流体導管を形成するように構成されることが好ましい。こうすることにより、ガス洗浄装置内において、隣接するモジュールを容易に相互に接続し、共通の入口および出口を有するより大きなユニットを形成することができる。
【００２７】
モジュール中の各プロセス容器の少なくとも１つの入口または出口、好ましくは各入口および各出口は、その入口または出口を実質的に閉じるシーリング・デバイスを含むことができる。シーリング・デバイスは、仕切弁またはバタフライ弁のうちの少なくとも一方を備えることができる。このシーリング・デバイスは、例えば、石炭火力発電所からの燃焼ガス排気ロードが、ピーク電気ロード期とオフピーク期の間で変動する場合等に、起こりうる供給ガスの変動に対応するため、特定のモジュールおよび／またはプロセス容器を、ガス洗浄装置内の回路に接続し、または回路から分離することを可能にする。
【００２８】
各モジュールは他のプロセス機器を含むことができる。例えば、各モジュールはさらに、少なくとも１つの吸収器、再生器、スクラバ、リボイラまたは熱交換器を含むことができる。さらに、吸収器または再生器の構成に、このような追加のプロセス機器を組み込むこともできる。例えば、吸収器は、少なくとも１つのガス・スクラバ段を含むことができる。
【００２９】
いくつかのモジュールは、さらに、再生器または吸収器のうちの少なくとも一方と流体連通した少なくとも１つの熱交換器を備えることができ、この熱交換器は、再生器または吸収器のそれぞれの基部の下に位置することができる。これにより、熱交換器は、流体接続されたそれぞれのプロセス容器よりも低い位置に位置させることができ、それにより、流体接続されたプロセス容器から熱交換器への供給流体を、ポンプまたは重力によって供給することができる。熱交換器は、プレート式熱交換器、シェル・アンド・チューブ形熱交換器など、２つの液体流を取り扱う能力を有する適当な任意のタイプの熱交換器とすることができる。熱交換器は、向流プレート式熱交換器を備えることが好ましい。熱交換器のハウジングはセメント質材料から形成されることが好ましい。この場合も、プロセス容器の入口ポート、出口ポート、入口ポートおよび出口ポートに接続された流体導管、ならびに他の接続セクションは、熱交換容器の外郭または本体部分を形成しているセメント質材料と同じセメント質材料から形成され、かつ／または、この同じセメント質材料中に形成されることが好ましい。いくつかの実施形態では、熱交換器が波形伝熱プレートを含む。この伝熱プレートは一般に金属製である。各プレートの波形は、隣接するプレートに対してある角度で配列されることが好ましい。いくつかの実施形態では、この波形を、隣接するプレートに対して６０から１５０°、より好ましくは９０°の角度で配列することができる。
【００３０】
各モジュールは、少なくとも１つのポンプまたはポンプ列を含むことができる。このポンプ列は、並列に接続された２つ以上のポンプからなる列を含むことが好ましい。各ポンプは、個別に、所望のポンプ速度とするように制御し、動作させることができる。よって、大きな流れをポンピングする必要がある場合には、全てのポンプを動作させることができる。小さな流れをポンピングすればよい場合には、ポンプの総数のうちの一部だけを動作させればよい。このポンプ列構成により、ポンプ列の全体出力をフレキシブルにする。このポンプ列構成はまた、特定の目的のために構築された大容量のポンプと比べ、大きなポンピング・パワーを提供する小さな複数のポンプの利用を可能にする。
【００３１】
本発明に基づくガス洗浄装置は、燃焼後ガス流を処理することが好ましい。これらのタイプのガス流は、一般には、ガス・タービン発電所、石炭火力発電所などでの燃焼プロセスから生じる低圧の排気ガス流または燃料ガス流である。好ましい一実施形態では、この燃焼後ガス流が、天然ガスと空気が熱機関に導入されるガス・タービンからの排気流である。
【００３２】
本発明のさらなる態様は、本発明のガス洗浄装置を含む、燃焼後ガス流から二酸化炭素を除去するプラントを提供する。
【００３３】
本発明のプラントは、さらに、上記の本発明のプロセスの各特徴のうちの任意の１つの特徴またはそれらの各特徴の組合せを含むことができ、それらの特徴には、吸収器および再生器の特定の運転温度範囲および運転圧力範囲、粒子を除去するサイクロン分離器、またはガス流および吸収剤がその中に供給され、それらのガス流と吸収剤が、それらの間で熱を直接に伝達することができるような態様で接触する他の並流もしくは向流気液接触器、吸収剤へ直接熱伝達する間の、含硫黄化合物および含窒素化合物を含む汚染物質のガス流からの吸収、あるいは、プロセス流間で直接にまたは間接的に熱を伝達する交換器および／またはヒートポンプを含む熱交換器網が含まれる。これらの流れはガス流および／または液体流とすることができる。
【００３４】
吸収器および再生器の特定の運転温度および運転圧力は、プロセス流間で伝達する有効熱量に大きな影響を与える。しかし、最適な運転条件は、最終的には、本発明に基づくプロセスおよびプラントが組み込まれた全体処理プラントに含まれる他の単位動作からの熱統合の考慮に依存するであろう。
【００３５】
次に、本発明の好ましい特定の実施形態を示す添付図面を参照して、本発明を説明する。
【図面の簡単な説明】
【００３６】
【図１】発電プロセスの燃焼後排気流から二酸化炭素を除去する既存のプロセスの全体流れ図である。
【図２】本発明の好ましい一実施形態に基づく吸収塔の透視図である。
【図３】本発明の好ましい一実施形態に基づく再生塔の透視図である。
【図４】スクラバ／吸収器塔の概略図である。
【図５】本発明の好ましい一実施形態に基づくスクラバ／吸収器塔の透視図である。
【図６】本発明の好ましい一実施形態に基づくモジュール式ガス洗浄ユニットの概略平面図である。
【図７】本発明の好ましい一実施形態に基づく１つのプレート式熱交換ユニットの透視図である。個々のプレートはこの図には示されていない。
【図８】図７に示したプレート式熱交換器のプレートおよびガスケットの詳細を示す透視図である。９枚のプレートしか示されていないが、実際の交換器は、数十枚、場合によっては、１００枚を超えるプレートを有する。
【発明を実施するための形態】
【００３７】
図１には、ガス・タービン、ボイラ（図示せず）などの燃焼後排気流から二酸化炭素を除去する溶媒吸収システムの全体プロセス流れ図が示されている。おおまかに言うと、図示の除去プロセスは、吸収剤（「溶媒」とも言う）、このケースでは水性アルカリ洗浄溶液を使用して、高二酸化炭素濃度の供給ガス流３を洗浄する。このプロセスは再生式プロセスであり、吸収塔Ｖ−００２で実行される、二酸化炭素を吸収剤に吸収させる吸収段と、再生塔Ｖ−００３で実行される、二酸化炭素を吸収剤から脱離させ、それにより吸収剤を再生する再生段との間で、吸収剤を連続的に再循環させる。
【００３８】
プロセス流がさまざまなユニットを経由した後、高二酸化炭素濃度の供給ガス流３が、スクラバ容器Ｖ−００１内へ供給される。スクラバ容器Ｖ−００１では、このガスが、冷却水２にさらされることにより冷却される。冷却されたガス流７は、次いで、ブロワＢ−００１を使用して吸収塔Ｖ−００２へ供給される。
【００３９】
図示の吸収塔Ｖ−００２は、トレイおよび／または充填材を含む充填カラムである。流れ８からの高ＣＯ２濃度の排気ガスは、吸収塔Ｖ−００２の底部の近くに位置する入口から吸収塔Ｖ−００２に流入し、内部充填物の間を通り抜けて上昇する。吸収塔Ｖ−００２の上部の近くに位置する入口から、低ＣＯ２濃度の吸収剤が吸収塔Ｖ−００２に入り、内部充填物の間を流れ落ちる。吸収塔Ｖ−００２の中を排気ガスが上昇すると、このガスの二酸化炭素内容物が吸収剤により次第に吸収される。その結果生じた排気ガス９は、ＣＯ２をほとんど含まず、吸収塔Ｖ−００２の上部ガス出口から、ガス出口流９を経て排出される。吸収塔Ｖ−００２の底部溶媒出口流１０には、高ＣＯ２濃度の吸収剤が生成される。
【００４０】
この高ＣＯ２濃度の吸収剤は、ポンプにより熱交換器ＨＸ−００２に通される。熱交換器ＨＸ−００２は、再生塔Ｖ−００３からの出口流１４のエネルギーを移動させて、吸収塔Ｖ−００２から流出した高ＣＯ２濃度の吸収剤が再生塔Ｖ−００３内へ供給される前に、吸収剤を予熱する。
【００４１】
吸収剤は、再生塔Ｖ−００３の上部の近くに接続された入口流１３を経て再生塔Ｖ−００３に入る。図示の再生塔Ｖ−００３は、トレイおよび／または充填材を含む充填カラムである。吸収剤は、再生塔Ｖ−００３の中を流れ落ちる。再生塔Ｖ−００３では、吸収反応を逆転させるために、リボイラＨＸ−００４内で吸収剤が加熱される。吸収剤が再生塔Ｖ−００３の中を流下するにつれ、吸収剤から徐々に二酸化炭素が脱離する。再生塔Ｖ−００３の基部から、低二酸化炭素濃度の吸収剤溶液１４の流れが放出され、吸収塔Ｖ−００２へ再循環され、そこで高ＣＯ２濃度の供給ガス８と再び接触する。
【００４２】
脱離したＣＯ２は、上部出口流１９を経て、ほぼ純粋な、ＣＯ２ガスが飽和した水として、再生塔Ｖ−００３から流出する。次いで、このＣＯ２流１９を、凝縮器ＨＸ−００３内で冷却し、還流蓄圧器Ｖ−００４に通して、凝縮した水を除去する。生成した純粋な二酸化炭素ガスは、直ちに直接使用できる状態にあり、またはさらに処理することもできる。この凝縮水流は、その一部または全体を、プロセスに戻すことができる。
【００４３】
次に図２および３を参照すると、本発明の一実施形態による吸収塔Ｖ−００２（図２）および再生塔Ｖ−００３（図３）が示されている。図１に示したプロセスにおいて、この吸収塔Ｖ−００２および再生塔Ｖ−００３を、同等のプロセス容器として使用することができる。したがって、図２および３では、プロセス容器ならびに関連入口導管および出口導管に対して、図１で使用したのと同じ参照符号が使用されている。
【００４４】
図示のプロセス容器Ｖ−００２およびＶ−００３は、高さ３０ｍ超、幅１０ｍ超の大規模再生塔Ｖ−００３および大規模吸収塔Ｖ−００２である。これらの容器は、１０００トン／時を超えるガス量を処理し、少なくとも６０００トン／時の液体吸収剤を処理することができる、１００から５００ＭＷの電力出力量を有する石炭火力発電所の燃料ガスから、二酸化炭素を洗浄除去するガス洗浄プロセスで使用されるように設計されている。例えば、洗浄される５００ＭＷ石炭火力発電所において、必要とされる燃料ガスのおおよその質量流量は、５０００トン／時程度である。しかし、溶媒（吸収剤）の流量は、プロセスで使用される特定の溶媒に依存する。
【００４５】
再生塔Ｖ−００３および吸収塔Ｖ−００２は、それぞれ、図１に示されるような溶媒吸収システムとともに使用され、側面が平らな正方形または長方形のカラムを備える。図示のカラムは、コンクリート、ジオポリマー（例えばオーストラリア、メルボルンのＧｅｏｂｏｎｄ  Ｐｔｙ  Ｌｔｄ社製のＥ−Ｃｒｅｔｅ（商標））などのセメント質材料から建造される。図示のとおり、各プロセス容器Ｖ−００３、Ｖ−００２の本体部分または外郭１１Ａ、１２Ａは、それぞれ、断面が正方形または長方形のカラムを備える。各容器Ｖ−００３、Ｖ−００２の本体部分１１Ａ、１２Ａはそれぞれ４つの平らな側面を有する。この側面が平らな正方形または長方形のカラムの構成には、容器Ｖ−００２、Ｖ−００３を、コンクリート建物業界で用いられる建造技法が役立つ。したがって、再生塔Ｖ−００３および吸収塔Ｖ−００２は、プレキャスト・パネルから製作し、または現場打設技法を使用して製作することができる。再生塔Ｖ−００３および吸収塔Ｖ−００２は、これらの技法を用いて独立式の容器として建造することができ、あるいは、同じまたは異なるタイプの隣接するカラムとの間、例えば吸収器／再生器、吸収器／吸収器、再生器／再生器間に共通の壁を有するように建造することもできる。
【００４６】
プロセス流体を移動させるため、各プロセス容器Ｖ−００２、Ｖ−００３のさまざまな側面および上部に、固定流路８、１０、１３、１４、１８および１９が組み込まれる。入口ポート８Ａ、１３Ａ、１８Ａおよび出口ポート９Ａ、１０Ａおよび１４Ａ、ならびに他の接続ポート（図示せず）は、プロセス容器Ｖ−００２、Ｖ−００３の本体部分１１Ａ、１２Ａを形成しているのと同じセメント質材料中に形成される。例えば、図３に示した再生塔Ｖ−００３では、本体部分１１Ａが、正方形または長方形の開口を本体部分１１Ａに備える溶媒入口ポート１３Ａに通じる、高ＣＯ２濃度溶媒の入口導管１３を含む。本体部分１１Ａはさらに、リーン・ソルベント（ｌｅａｎ  ｓｏｌｖｅｎｔ）出口ポート１４Ａおよび関連導管１４、ならびにガス出口１９Ａおよび関連導管１９を含む。吸収塔Ｖ−００２は、高ＣＯ２濃度溶媒の出口１０Ａおよび関連導管１０、ガス入口８Ａおよび関連導管８、リーン・ソルベント入口１８Ａおよび関連導管１８、ならびに容器Ｖ−００２の上端にベント開口９を備えるガス出口９Ａを含む。吸収塔Ｖ−００２の上部のベント開口９は、大気に向けて開口するように構成されており、ベント開口９を通して汚染物質がシステム内に入らないように設計されている。このベント開口９はしたがって、開口９を通して汚染物質がシステム内に入ることを実質的に防ぐスクリーン、シールドまたは他のタイプのカバー（図示せず）を備えることができる。
【００４７】
化学的または物理的な抵抗性を向上させるため、プロセス容器Ｖ−００２、Ｖ−００３は、ゴム、プラスチック、ポリマー・コーティングまたは金属の内部コーティングを有することができる。さらに、このセメント質構造物は、格子、梁、骨組等、炭素繊維、強化メッシュ、強化織物など、適当な強化材を含むことができる。
【００４８】
再生塔Ｖ−００３および吸収塔Ｖ−００２はそれぞれ、大気圧に近いカラム・ガス圧を有するように構成されている。当然ながら、このタイプの容器の１つの構成が取り扱う最高圧力は、コンクリートの設計圧力およびコンクリートに含まれる強化構造物の設計圧力により規制される。同様に、プロセス流体の温度限界も、構造材によって決定される。
【００４９】
再生塔Ｖ−００３および吸収塔Ｖ−００２は通常、高い位置に建造され、あるいは容器Ｖ−００２またはＶ−００３の下に掘られた空洞を有する。この空洞の中には、ポンプ（図示せず）および熱交換器（例えば図７に示す熱交換器６０）が、各プロセス容器Ｖ−００２、Ｖ−００３の基部よりも低い位置に位置する。
【００５０】
運転時、再生塔Ｖ−００３からの溶媒が、出口１４Ａから、重力によって、リーン／リッチ・クロス交換器（ｌｅａｎ／ｒｉｃｈ  ｃｒｏｓｓ−ｅｘｃｈａｎｇｅｒ）（図示せず）に流入する。同様に、吸収塔Ｖ−００２からの溶媒は、出口１０Ａから、重力によって、リーン／リッチ・クロス交換器（図示せず）に流入することができ、または直接にポンプ（図示せず）に流入することができる。
【００５１】
再生塔Ｖ−００３および吸収塔Ｖ−００２は、任意の吸収剤とともに使用されるように設計される。吸収剤は、窒素化合物、例えばアミノ酸、モノエタノールアミン（ＭＥＡ）などの様々なアミン、またはこれらの組合せを含む溶液や、炭酸カリウム、炭酸ナトリウムなどのアルカリ炭酸塩を含む溶液など、ガス流から二酸化炭素を吸収する能力のある適当な再生剤を用いることができる。この溶液は、吸収速度を向上させ、分解速度および腐食性を低下させるために使用される活性化剤または促進剤を含むことができる。
【００５２】
図４および５は、本発明の好ましい一実施形態に基づく結合スクラバ／吸収器カラムＶ−００２Ａを示す。図４は容器Ｖ−００２Ａの概略図、図５は実際の容器Ｖ−００２Ａの透視図である。図４および５に示された容器Ｖ−００２Ａの同様の部分を表すために、同じ符号が使用されている。図１に示したプロセスにおいて、このプロセス容器Ｖ−００２Ａを、容器Ｖ−００１およびＶ−００２の代わりに使用することができる。このタイプの結合スクラバ／吸収器カラムは、ＣＡＮＳＯＬＶ（登録商標）プロセスなどの溶媒系で使用されることがある。
【００５３】
図示のスクラバ／吸収器カラムＶ−００２Ａは、以下の３つのセクションを含む。
充填物の間を通り抜けて上昇するガスを、水が吹き付けて水洗する充填セクションを備える水洗セクション３２。水洗は、ワンススルー（ｏｎｃｅ−ｔｈｒｏｕｇｈ）、または再循環とすることができる。水洗セクション３２は任意であり、一般に、特定の溶媒にのみ用いられる。
吸収剤、一般に溶媒が充填物に吹き付けられ、充填物の間を通り抜けて移動し、充填物の中を上昇している高ＣＯ２濃度のガスと接触することにより、ガス中のＣＯ２成分を吸収する充填セクションを備える吸収器セクション３４。
スプレー塔または充填塔とすることができるスクラバ・セクション３６。セクション３６では、高ＣＯ２濃度の供給ガスを冷却するため、セクション内のガス流に水が吹き付けられる。
【００５４】
前述の再生塔Ｖ−００３および吸収塔Ｖ−００２と同様に、容器Ｖ−００２Ａも、図１に示したような溶媒吸収システムとともに使用され、側面が平らな正方形または長方形のカラムを備える。このカラムも、コンクリート、ジオポリマー（例えばオーストラリア、メルボルンのＧｅｏｂｏｎｄ  Ｐｔｙ  Ｌｔｄ社製のＥ−Ｃｒｅｔｅ（商標））などのセメント質材料から建造することができる。
【００５５】
プロセス容器Ｖ−００２Ａの本体部分または外郭３８は、平らな４つの側面を有し、断面が正方形または長方形のカラムを備える。プロセス流体を移動させるため、容器Ｖ−００２Ａのさまざまな側面および上部に、固定流路４０、４１、４２、４３、４５および４６が組み込まれる。流路４０、４１、４２、４３、４５および４６の入口／出口ポートは、容器Ｖ−００２Ａの本体部分３８を形成しているセメント質材料と同じセメント質材料中に形成される。上部ベント４４は、容器Ｖ−００２Ａの上端に開口を備える。
【００５６】
プロセス容器Ｖ−００２Ａもまた、化学的または物理的な抵抗性を向上させるため、ゴム、プラスチック、ポリマー・コーティングまたは金属の内部コーティングを有することができる。さらに、このセメント質構造物は、格子、梁、骨組等、炭素繊維、強化メッシュ、強化織物など、適当な強化材を含むことができる。
【００５７】
図６は、図２から５に示したプロセス容器と同様の構造を有するプロセス容器から形成することができるモジュール式ユニット５０の配列を示す。しかし、このモジュール式ユニット５０を、セメント質材料以外の材料、例えば鋼などから建造することもできる。モジュール構造は、複数のユニットの建造を単純化し、プロセス容器およびガス吸収プラント全体の総合的な建造費および製作費を引き下げることが意図されている。モジュール構造はさらに、炭素捕捉プロセスの減量運転に対応するのを容易にする。
【００５８】
図２から５に示したプロセス容器Ｖ−００２、Ｖ−００３およびＶ−００２Ａと同様に、各モジュール５０は、図１に示されるようなガス吸収プロセスとともに使用される、側面が平らな正方形または長方形のいくつかのプロセス容器５４、５６を含む。各モジュール５０は、列として配列された吸収ユニット５４と再生ユニット５６の隣接するいくつかの対５２を備える。図示のモジュール５０は、吸収ユニット５４と再生ユニット５６の４つの対５２を含む。
【００５９】
各モジュール５０の吸収ユニット５４および再生ユニット５６は、任意の直径を有することができ、最終的に取り扱うことができるガス流量を任意の大きさとすることができる。しかし、吸収ユニット５４および再生ユニット５６は、それぞれ、少なくとも１０００トン／時、好適には２０００または３０００トン／時を超えるガス中、所定の割合のガスを処理するサイズを有することが好ましい。この割合は、ガス洗浄装置内の吸収ユニット５４および再生ユニット５６の数に依存する。同様に、吸収ユニット５４および再生ユニット５６はそれぞれ、少なくとも６０００トン／時のガス洗浄装置内で使用される液体吸収剤のうち、所定の割合を処理するサイズを有することが好ましい。
【００６０】
前述の容器Ｖ−００２、Ｖ−００３およびＶ−００２Ａと同様に、モジュール５０のプロセス容器の入口ポート、出口ポート、入口ポートおよび出口ポートに接続された流体導管、ならびに他の接続セクションは、各ユニット５４、５６の外郭または本体部分を形成しているセメント質材料と同じセメント質材料から形成され、かつ／またはこの同じセメント質材料中に形成することができる。このモジュール形態では、各ユニット５４、５６の特定の流体導管が、隣接するユニット５４、５６の関連流体導管と流体接続して、共通の流体導管を形成するように構成されることが好ましい。モジュール式ユニット５０の外壁に、吸収ユニット５４に対する共通燃料ガス入口導管５８および共通ＣＯ２製品ガス出口導管５９が配置される。
【００６１】
各吸収ユニット５４および再生ユニット５６の各入口または各出口は、その入口または出口を上記共通流体導管からシールする仕切弁またはバタフライ弁を含む。これによって、起こりうる供給ガスの変動に対応するために、各吸収ユニット５４および再生ユニット５６をオンライン／オフラインにして、減量運転を提供することができる。例えば、石炭火力発電所からの燃焼ガス排気ロードは、ピーク電気ロード期とオフピーク期の間で変動する。
【００６２】
図１に示したものなどの溶媒吸収システムとして機能するために、各モジュール５０は、他のプロセス機器を含むことができる。例えば、各モジュール５０はさらに、スクラバ、リボイラ、熱交換器、ポンプなどを含むことができる。各モジュール５０は、図１に示したプロセス容器およびプロセス機器を含むことが好ましい。
【００６３】
モジュール５０内では、適当な任意の熱交換器を使用することができる。図示のモジュール５０に関しては、向流プレート式熱交換器が使用されることが好ましい。
【００６４】
モジュール５０とともに、またはモジュール５０内で使用することができる熱交換器６０の好ましい一実施形態を図７および８に示す。この熱交換器６０の構成は、熱交換器、例えばＨＸ−００１およびＨＸ−００２の両側に液体流を含む、図１に示したプロセスの熱交換器に対して使用することができる。この構成の熱交換器６０は、大気圧付近の設計圧力で機能する。この構成は、伝熱プレート６２および伝熱プレート間のシール６４に対して、シンプルなロバスト設計を用いることができる。この構成はさらに、図２から５に示されるプロセス容器では、上述の建造技法と同様の、より安価な建造技法を容易に用いることができる。
【００６５】
図示の熱交換器６０は非常に大きなプレート式熱交換器である。熱交換器６０は、ステンレス鋼、炭素鋼または他の材料から建造された一連の波形熱交換プレート６２を含む。プレート６２の波形（図７および８には示されていない）は、各プレートの底部長辺に対して４５°の角度に（斜めのパターンとして）配列されている。さらに、プレート６２の波形は、隣接するプレート６２に対して交互に９０°の向きに配列されている。このことは、波形が、隣接する各プレート６２間の間隔を維持することを保証する。図示の実施形態では、プレート６２が、波形が（底部長辺に対して）斜めに延びるように交互に配列されているが、この波形は、水平、垂直など、任意の角度で配列することができる。図８に最もよく示されているが、隣接する各プレート６２間の空間は、エラストマー・ガスケット・シール６４を使用してシールされている。これらのシール６４は、各プレート５２間に単一の流体通路空間を形成するが、若干の漏れ（したがって、少量のクロス汚染）が起こる可能性もある。プレート６２は、相互接続タイロッドまたは同様の締付け構成（図示せず）を使用して、一体に固く締め付けられる。
【００６６】
図７に示すように、プレート６２は、コンクリート、ジオポリマー（例えばオーストラリア、メルボルンのＧｅｏｂｏｎｄ  Ｐｔｙ  Ｌｔｄ社製のＥ−Ｃｒｅｔｅ（商標））などのセメント質材料から建造された容器６６中に収容される。容器６６は、使用されるプロセスの形態に応じて、モジュール５０の下、あるいは関連プロセス容器Ｖ−００２および／またはＶ−００３の下に位置することが好ましい。場合によっては、容器６６を地下に配置し、または穴（ｐｉｔ）の中に配置することができる。容器６６は、プレート６２がその中に配置されるプレート収容セクション６８を含む。プレート収容セクション６８は、プレート６２の列の形状と共形の長方形の断面を有する。他の実施形態では、伝熱プレート６２を一方の側から取り出すことを可能にするため、プレート収容セクション６８の一方または両方の側壁が、取外し可能なプレートを含む。プレート６２へのアクセスおよびプレート６２の取出しを可能にするため、プレート収容セクション６８は、取外し可能な上蓋７０を有する。いくつかの形態では、上シール（図示せず）を使用して、上蓋７０をシールすることができ、上シールは、エラストマー、ポリマー、鋼または他の材料から製作されたプレートとすることができ、その重さ、または流体（例えば水）によって、あるいは他の手段を用いて所定の位置に保持することができる。他の実施形態では、伝熱プレート６２を一方の側から取り出すことを可能にするため、プレート収容セクション６８の一方または両方の側壁が、取外し可能なプレートを含む。伝熱プレート６２は、プレート収容セクション６８の基部に形成された相補的な溝の中に着座する。流体接続されたプロセス流からの流体は、熱交換器６０の側面に形成された入口導管および出口導管７２、７３、７４、７５から流出入する。前述のプロセス容器と同様に、これらの入口導管および出口導管７２、７３、７４、７５は、コンクリート、ジオポリマー（例えばオーストラリア、メルボルンのＧｅｏｂｏｎｄ  Ｐｔｙ  Ｌｔｄ社製のＥ−Ｃｒｅｔｅ（商標））などのセメント質材料から製作され、容器６６の壁と一体に形成される。プレート６２間を流体が流れることを可能にするため、プレート間のガスケット６４は、各入口導管および出口導管７２、７３、７４、７５のところに、これらの導管から、プレート収容セクション６６内のプレート６２間の適当な空間へ通じる開口を形成する。
【００６７】
熱交換器６０は、重力流れを使用して両側に溶媒を供給するように設計されている。したがって、熱交換器６０は一般に、図１に示したＶ−００２、Ｖ−００３などのプロセス容器の下に位置する。図示の熱交換器６０は、図１に示したプロセスのクロス交換器ＨＸ−００２として使用されるように構成することができる。この用途では、吸収器Ｖ−００２と再生器Ｖ−００３の両方から溶媒が重力により流れることを可能にするため、リッチ・ソルベント（ｒｉｃｈ  ｓｏｌｖｅｎｔ）ポンプＰ−００２が、（図示のように上流側ではなく）交換器６０の下流側に位置することが好ましい。この構成では、吸収器Ｖ−００２からの高ＣＯ２濃度溶媒（冷流）が、入口７２から熱交換器６０に流入し、出口７５から流出する。再生器Ｖ−００３からの低ＣＯ２濃度溶媒（熱流）は、入口７４から熱交換器６０に流入し、出口７３から流出する。各出口７３、７５からの溶媒は、交換器６０よりも低い位置に位置する一段低い穴（図示せず）などのポンプ・ウェル（図示せず）に流入し、そこから、前に論じたポンプの列（図示せず）を使用して、吸収器Ｖ−００２または再生器Ｖ−００３へ送られる。
【００６８】
リーン・ソルベント冷却器交換器（ＨＸ−００１）に対しても、同様の熱交換器６０設計を用いることができる。この用途では、リーン・ソルベント・ポンプ（Ｐ−００３）が、図１に示したようにＨＸ−００１とＨＸ−００２の間ではなく、ＨＸ−００１の上流側に配置される。この場合には、冷却水の十分な水流のため、熱交換器６０よりも十分に高い位置にあるタンク等から冷却水を供給する必要がある。これらの熱交換器ＨＸ−００１およびＨＸ−００２がそれぞれ、図１に示したプロセスにおいてこの構成を備える場合には、再生器Ｖ−００３からの液体が、両方の交換器ＨＸ−００１およびＨＸ−００２を通過して溶媒が適切に流れるのに十分な推進力を与えるよう、それぞれの交換器ＨＸ−００１およびＨＸ−００２を配置する必要がある。
【００６９】
熱交換器６０は気密型ではなく、大気圧に近い圧力で機能するように設計されているため、この熱交換器設計６０は、図１のプロセスに示した凝縮器（ＨＸ−００３）またはリボイラ（ＨＸ−００４）には適していない。
【００７０】
図示されてはいないが、各モジュール５０は、導管に接続された少なくとも１つのポンプまたはポンプ列を含むことができる。上で論じたとおり、このポンプ列は、並列に接続された２つ以上のポンプからなる列を含むことができる。各ポンプは、必要なポンプ速度を提供するように動作するよう、個別に制御することができる。
【００７１】
本明細書に記載した発明は、具体的に説明したもの以外の変形および変更を受け入れうることを当業者は理解するであろう。本発明は、本発明の趣旨および範囲に含まれるこのような全ての変形および変更を含む。
【００７２】
本明細書の説明および特許請求の範囲の全体を通じて、用語「備える（ｃｏｍｐｒｉｓｅ）」、および「備える（ｃｏｍｐｒｉｓｉｎｇ）」、「備える（ｃｏｍｐｒｉｓｅｓ）」等のこの用語の変形が、他の付加物、構成要素、完全体またはステップを排除することは意図されていない。
【手続補正２】
【補正対象書類名】特許請求の範囲
【補正対象項目名】全文
【補正方法】変更
【補正の内容】
【特許請求の範囲】
【請求項１】
少なくとも２つのモジュールを有し、
各前記モジュールは、ガス洗浄プロセスのための少なくとも一つのプロセス容器を有し、
各前記プロセス容器は、吸収器、再生器、スクラバ、リボイラ、熱交換器またはこれらの組合せの中から選択され、
各前記プロセス容器は、
セメント質材料から形成された上壁、下壁および少なくとも３つの側壁と、
各前記プロセス容器の前記上壁、下壁または側壁のうちの少なくとも１つに形成され、使用時に、流体が前記プロセス容器に流入する入口ポートおよび、流体が前記プロセス容器から流出する出口ポートとを有し、
前記側壁が、多角形の断面を画定し、
第１のモジュールにおける第１のプロセス容器の少なくとも一つの前記側壁は、第２のモジュールにおける第２のプロセス容器の少なくとも１つの側壁に接続され、または当接するガス洗浄装置。
【請求項２】
各前記プロセス容器の前記側壁が、長方形または正方形の断面を形成する、請求項１に記載のガス洗浄装置。
【請求項３】
各前記プロセス容器が、垂直に延びるカラムを備える、請求項１または２に記載のガス洗浄装置。
【請求項４】
それぞれが接続され、または当接する前記第１のモジュールにおける第１のプロセス容器の側壁および、第２のモジュールにおける第２のプロセス容器の側壁が、略平面上表面備える、請求項１から３のいずれかに記載のガス洗浄装置。
【請求項５】
前記プロセス容器の前記入口ポートおよび出口ポートに接続された流体導管が、各前記プロセス容器の前記上壁、下壁または側壁のうちの少なくとも１つと一体に形成されている、請求項１から４のいずれかに記載のガス洗浄装置。
【請求項６】
前記流体導管が、前記プロセス容器の前記上壁、下壁または側壁のそれぞれに形成された垂直方向または水平方向に中空体を備える、請求項５に記載のガス洗浄装置。
【請求項７】
前記第１のプロセス容器および前記第２のプロセス容器の外壁、および／または、前記第１のプロセス容器および前記第２のプロセス容器に接続され、または当接する前記側壁を貫く流体導管が配置されている請求項１から６のいずれかに記載のガス洗浄装置。
【請求項８】
各モジュールの特定の流体導管が、隣接するモジュールの関連流体導管に流体接続して、共通の流体導管を形成するように構成されている、請求項１から７のいずれかに記載のガス洗浄装置。
【請求項９】
各前記モジュールの少なくとも１つの入口または出口、好ましくは各入口および各出口が、その入口または出口を実質的に閉じるシーリング・デバイスを含む、請求項１から８のいずれかに記載のガス洗浄装置。
【請求項１０】
前記シーリング・デバイスが、弁を備える、請求項９に記載のガス洗浄装置。
【請求項１１】
各前記プロセス容器の内部が、水分／ガス不透過性ライニングで、流体を通さないよう被覆されている、請求項１から１０のいずれかに記載のガス洗浄装置。
【請求項１２】
各前記プロセス容器が、プレキャスト・セメント質材料セクション、または現場打ちセメント質材料から形成される、請求項１から１１のいずれかに記載のガス洗浄装置。
【請求項１３】
前記セメント質材料が強化されている、請求項１から１２のいずれかに記載のガス洗浄装置。
【請求項１４】
前記側壁が、各前記プロセス容器内に、充填材、トレイまたは熱交換要素のうちの少なくとも１つを含む少なくとも１つのチャンバを画定する、請求項１から１３のいずれかに記載のガス洗浄装置。
【請求項１５】
１０００トン／時の前記ガス処理能力を有する、請求項１から１４のいずれかに記載のガス洗浄装置。
【請求項１６】
少なくとも６０００トン／時の液体吸収剤処理能力を有する、請求項１から１５のいずれかに記載のガス洗浄装置。
【請求項１７】
各モジュールが、吸収器、再生器、ガススクラバ、リボイラ、熱交換器のいずれかから選択される少なくとも２つのプロセス容器を含む、請求項１から１６のいずれかに記載のガス洗浄装置。
【請求項１８】
各モジュールが、少なくとも２つの吸収器と少なくとも一つの再生器を含む、請求項１から１７のいずれかに記載のガス洗浄装置。
【請求項１９】
前記再生器または前記吸収器のうちの少なくとも一方と流体連通した少なくとも１つの熱交換器をさらに備え、
前記熱交換器が、前記再生器または前記吸収器のそれぞれの基部の下に位置する、請求項１７または１８に記載のガス洗浄装置。
【請求項２０】
請求項１から１９のいずれかに記載のガス洗浄装置を含む、燃焼後ガス流から二酸化炭素を除去するプラント。
【国際調査報告】
2012508097.tif 000011
2012508097.tif 000012
2012508097.tif 000013
2012508097.tif 000014
2012508097.tif 000015